(57)【要約】ＷＴＲＵ（１０２）は、ネットワークスライス選択および／または再選択のための更新された支援情報を受信することができる（４１０）。ＷＴＲＵは、ローカルポリシーを適用して、ネットワークスライスにアクセスするために更新された支援情報をいつ使用するかを決定することができる（４４０）。ＷＴＲＵは、ネットワークスライスへの接続を確立するために、既存のネットワークスライス機能（４７０）、または新しいネットワークスライス機能（４６０）のいずれにコンタクトを取るかを決定することができる。決定に基づいて、ＷＴＲＵは、さまざまな情報をネットワークに送信することができる。ネットワークスライス選択および／または再選択は、ＷＴＲＵによって、またはネットワークによって開始されることができる。
2019533333.tif 000002
【特許請求の範囲】
【請求項１】
無線送信／受信ユニット（ＷＴＲＵ）において実施される方法であって、
前記ＷＴＲＵがネットワークからメッセージを受信するステップであって、前記メッセージは前記ネットワークの更新されたネットワークスライス情報を備える、ステップと、
前記ＷＴＲＵが、前記更新されたスライス情報に基づいて、前記ＷＴＲＵによって利用されている少なくとも第１のネットワークスライスがもはや前記ＷＴＲＵにより使用されることができないと決定するステップであって、前記ＷＴＲＵは、少なくとも前記第１のネットワークスライスに対して前記ネットワークの第１のアクセスおよびモビリティ管理機能（ＡＭＦ）によりサービス提供され、前記ＷＴＲＵは、前記第１のＡＭＦに関連付けられている一時識別子を有する、ステップと、
前記ＷＴＲＵが、前記更新されたネットワークスライス情報に基づいてネットワークスライス選択支援情報（ＮＳＳＡＩ）を更新するステップと、
前記ＷＴＲＵが、前記更新されたネットワークスライス情報および前記ＷＴＲＵのために構成された１つまたは複数のポリシーに基づいて、前記第１のネットワークスライスを第２のネットワークスライスと置き換えることを決定するステップと、
前記ＷＴＲＵが、前記第１のＡＭＦは前記第２のネットワークスライスに対して前記ＷＴＲＵにサービス提供すべきであるかどうかを決定するステップと、
前記ＷＴＲＵが、前記第１のＡＭＦまたは第２のＡＭＦにコンタクトを取り、前記第２のネットワークスライスへの接続を確立するステップであって、
前記第１のＡＭＦが前記第２のネットワークスライスに対して前記ＷＴＲＵにサービス提供すべきであると前記ＷＴＲＵが決定するという条件で、前記ＷＴＲＵは、前記更新されたＮＳＳＡＩを備える接続または登録メッセージを前記第１のＡＭＦに送信し、
前記第１のＡＭＦが前記第２のネットワークスライスに対して前記ＷＴＲＵにサービス提供すべきではないと前記ＷＴＲＵが決定するという条件で、前記ＷＴＲＵは、前記一時識別子を削除して、前記更新されたＮＳＳＡＩを備える接続または登録メッセージを前記第２のＡＭＦに送信する、ステップと
を備える方法。
【請求項２】
前記更新されたＮＳＳＡＩは、前記第２のネットワークスライスにより提供されるサービスのタイプを識別する請求項１に記載の方法。
【請求項３】
サービスの前記タイプは、高度化モバイルブロードバンド（ｅＭＢＢ）サービス、超高信頼性低遅延通信（ＵＲ−ＬＬＣ）サービス、または大規模モノのインターネット（ｍＩｏＴ）サービスのうちの少なくとも１つを含む請求項２に記載の方法。
【請求項４】
前記第１のＡＭＦが前記第２のネットワークスライスに対して前記ＷＴＲＵにサービス提供すべきではないと前記ＷＴＲＵが決定するという条件で、前記方法は、前記ＷＴＲＵが前記第１のＡＭＦから切断するステップをさらに備える請求項１に記載の方法。
【請求項５】
前記１つまたは複数のポリシーは、前記ＷＴＲＵがアクセスすることを許可される１つまたは複数のネットワークスライスのリストに関する情報を含む請求項１に記載の方法。
【請求項６】
前記ＷＴＲＵが前記第１のネットワークスライスを前記第２のネットワークスライスと置き換えるよう決定するステップは、前記ＷＴＲＵがアクセスすることを許可される１つまたは複数のネットワークスライスのリストから前記第２のネットワークスライスを前記ＷＴＲＵが選択するステップを備える請求項１に記載の方法。
【請求項７】
前記ネットワークから受信される前記メッセージは、前記第１のネットワークスライスが輻輳しているという指示を含む請求項１に記載の方法。
【請求項８】
前記第１のＡＭＦまたは前記第２のＡＭＦにコンタクトを取って前記第２のネットワークスライスへの接続を確立する前に、前記ＷＴＲＵがバックオフタイマーの期間にわたり待機するステップをさらに備える請求項７に記載の方法。
【請求項９】
前記第１のＡＭＦが前記第２のネットワークスライスに対して前記ＷＴＲＵにサービス提供すべきであると前記ＷＴＲＵが決定するという条件で、前記一時識別子は、前記第１のＡＭＦに送信された前記接続または登録メッセージに含まれる請求項１に記載の方法。
【請求項１０】
前記更新されたネットワークスライス情報は、前記ＷＴＲＵに関連付けられているサブスクリプション変更またはモビリティ変更に応じて受信される請求項１に記載の方法。
【請求項１１】
無線送信／受信ユニット（ＷＴＲＵ）であって、
ネットワークからメッセージを受信し、ここで、前記メッセージは前記ネットワークの更新されたネットワークスライス情報を備え、
前記更新されたスライス情報に基づいて、前記ＷＴＲＵによって利用されている少なくとも第１のネットワークスライスがもはや前記ＷＴＲＵにより使用されることができないと決定し、ここで、前記ＷＴＲＵは、少なくとも前記第１のネットワークスライスに対して前記ネットワークの第１のアクセスおよびモビリティ管理機能（ＡＭＦ）によりサービス提供され、前記ＷＴＲＵは、前記第１のＡＭＦに関連付けられている一時識別子を有し、
前記更新されたネットワークスライス情報に基づいてネットワークスライス選択支援情報（ＮＳＳＡＩ）を更新し、
前記更新されたネットワークスライス情報および前記ＷＴＲＵのために構成された１つまたは複数のポリシーに基づいて、前記第１のネットワークスライスを第２のネットワークスライスと置き換えることを決定し、
前記第１のＡＭＦは前記第２のネットワークスライスに対して前記ＷＴＲＵにサービス提供すべきであるかどうかを決定し、
前記第１のＡＭＦまたは第２のＡＭＦにコンタクトを取り、前記第２のネットワークスライスへの前記接続を確立し、ここで、
前記第１のＡＭＦが前記第２のネットワークスライスに対して前記ＷＴＲＵにサービス提供すべきであると前記ＷＴＲＵが決定するという条件で、前記ＷＴＲＵは、前記更新されたＮＳＳＡＩを備える接続または登録メッセージを前記第１のＡＭＦに送信し、
前記第１のＡＭＦが前記第２のネットワークスライスに対して前記ＷＴＲＵにサービス提供すべきではないと前記ＷＴＲＵが決定するという条件で、前記ＷＴＲＵは、前記一時識別子を削除して、前記更新されたＮＳＳＡＩを備える接続または登録メッセージを前記第２のＡＭＦに送信する、
ように構成されたプロセッサを備える無線送信／受信ユニット（ＷＴＲＵ）。
【請求項１２】
前記更新されたＮＳＳＡＩは、前記第２のネットワークスライスにより提供されるサービスのタイプを識別する請求項１１に記載のＷＴＲＵ。
【請求項１３】
サービスの前記タイプは、高度化モバイルブロードバンド（ｅＭＢＢ）サービス、超高信頼性低遅延通信（ＵＲ−ＬＬＣ）サービス、または大規模モノのインターネット（ｍＩｏＴ）サービスのうちの少なくとも１つを含む請求項１２に記載のＷＴＲＵ。
【請求項１４】
前記第１のＡＭＦが前記第２のネットワークスライスに対して前記ＷＴＲＵにサービス提供すべきではないと前記ＷＴＲＵが決定するという条件で、前記プロセッサは、前記第１のＡＭＦから切断するようさらに構成される請求項１１に記載のＷＴＲＵ。
【請求項１５】
前記１つまたは複数のポリシーは、前記ＷＴＲＵがアクセスすることを許可される１つまたは複数のネットワークスライスのリストに関する情報を含む請求項１１に記載のＷＴＲＵ。
【請求項１６】
前記プロセッサが前記第１のネットワークスライスを前記第２のネットワークスライスと置き換えることを決定するよう構成されることは、前記ＷＴＲＵがアクセスすることを許可される１つまたは複数のネットワークスライスのリストから前記第２のネットワークスライスを選択するように前記プロセッサが構成されることを備える請求項１１に記載のＷＴＲＵ。
【請求項１７】
前記ネットワークから受信される前記メッセージは、前記第１のネットワークスライスが輻輳しているという指示を含む請求項１１に記載のＷＴＲＵ。
【請求項１８】
前記プロセッサは、前記第１のＡＭＦまたは前記第２のＡＭＦにコンタクトを取って前記第２のネットワークスライスへの接続を確立する前に、バックオフタイマーの期間にわたり待機するようさらに構成される請求項１７に記載のＷＴＲＵ。
【請求項１９】
前記第１のＡＭＦが前記第２のネットワークスライスに対して前記ＷＴＲＵにサービス提供すべきであると前記ＷＴＲＵが決定するという条件で、前記一時識別子は、前記第１のＡＭＦに送信された前記接続または登録メッセージに含まれる請求項１１に記載のＷＴＲＵ。
【請求項２０】
前記更新されたネットワークスライス情報は、前記ＷＴＲＵに関連付けられているサブスクリプション変更またはモビリティ変更に応じて受信される請求項１１に記載のＷＴＲＵ。
【発明の詳細な説明】
【技術分野】
【０００１】
本発明は、ネットワークスライス再選択に関する。
【背景技術】
【０００２】
関連出願の相互参照
本出願は、開示が参照により全体を本明細書において援用する、２０１６年８月１６日に出願した米国仮特許出願第６２／３７５，８４３号明細書、および２０１７年２月３日に出願した米国仮特許出願第６２／４５４，４５０号明細書の利益を主張するものである。
【０００３】
移動体通信は、進化の一途をたどっている。第５世代は、５Ｇと称されることができる。５Ｇネットワークは、ネットワークスライスを通じて差異化サービスを提供するように構成されることができる。たとえば、ネットワークは、第１のネットワークスライスにおいて個人電話サービスを、第２のネットワークスライスにおいて重要サービス（たとえば、公共安全）を、第３のネットワークスライスにおいてモノのインターネット（ＩｏＴ）サービス（たとえば、センサー、マシンなど）を提供することができる。無線送信／受信ユニット（ＷＴＲＵ）は、ネットワークに登録して、ネットワークスライスの１つまたは複数にアクセスすることができる。
【発明の概要】
【課題を解決するための手段】
【０００４】
ネットワークスライス選択および／または再選択のためのシステム、方法、および手段が開示される。ＷＴＲＵは、ネットワークからメッセージを受信することができる。メッセージは、更新されたネットワークスライス情報を含むことができる。更新されたネットワークスライス情報は、たとえば、ＷＴＲＵに関連付けられているサブスクリプション変更またはモビリティ変更に応じて、ネットワークにより送信されることができる。ＷＴＲＵは、更新されたスライス情報に基づいて、ＷＴＲＵによって利用されている少なくとも第１のネットワークスライスが、もはやＷＴＲＵにより使用されることができないと決定することができる。ＷＴＲＵは、少なくとも第１のネットワークスライスに対してネットワークの第１のアクセスおよびモビリティ管理機能（ＡＭＦ）によりサービス提供されることができる。ＷＴＲＵは、第１のＡＭＦに関連付けられている一時識別子を有することができる。
【０００５】
ＷＴＲＵは、ネットワークスライス選択支援情報（ＮＳＳＡＩ）を所有することができる。ＷＴＲＵは、更新されたネットワークスライス情報に基づいてＮＳＳＡＩを更新することができる。ＷＴＲＵは、１つまたは複数の構成済みのポリシーを有することができる。ＷＴＲＵは、更新されたネットワークスライス情報および１つまたは複数の構成済みのポリシーに基づいて、第１のネットワークスライスが第２のネットワークスライスと置き換えられるべきであると決定することができる。
【０００６】
さらに、ＷＴＲＵは、第１のＡＭＦまたは第２のＡＭＦにコンタクトを取り、第２のネットワークスライスへの接続を確立することができる。ＷＴＲＵは、第１のＡＭＦが、第２のネットワークスライスに対してＷＴＲＵにサービス提供すべきであるかどうかを決定することができる。第１のＡＭＦが第２のネットワークスライスに対してＷＴＲＵにサービス提供すべきであるとＷＴＲＵが決定する場合、ＷＴＲＵは、更新されたＮＳＳＡＩを備える接続または登録メッセージを第１のＡＭＦに送信することができる。第１のＡＭＦが第２のネットワークスライスに対してＷＴＲＵにサービス提供すべきではないとＷＴＲＵが決定する場合、ＷＴＲＵは、第１のＡＭＦに関連付けられている一時識別子を削除して、更新されたＮＳＳＡＩを備える接続または登録メッセージを第２のＡＭＦに送信することができる。
【０００７】
更新されたＮＳＳＡＩは、第２のネットワークスライスにより提供されるサービスのタイプを識別することができる。サービスのタイプは、高度化モバイルブロードバンド（ｅＭＢＢ）サービス、超高信頼性低遅延通信（ＵＲ−ＬＬＣ）サービス、または大規模モノのインターネット（ｍＩｏＴ）サービスのうちの少なくとも１つを含むことができる。ＷＴＲＵのために構成されたポリシーは、ＷＴＲＵがアクセスすることを許可されるネットワークスライスのリストに関する情報を含むことができる。ＷＴＲＵは、ＷＴＲＵがアクセスすることを許可されるネットワークスライスのリストから第２のネットワークスライスを選択すると、第１のネットワークスライスを第２のネットワークスライスと置き換えるよう決定することができる。
【図面の簡単な説明】
【０００８】
【図１Ａ】１つまたは複数の開示される実施形態が実施されることができる例示の通信システムを示すシステム図である。
【図１Ｂ】実施形態による図１Ａに示される通信システム内で使用されることができる例示の無線送信／受信ユニット（ＷＴＲＵ）を示すシステム図である。
【図１Ｃ】実施形態による図１Ａに示される通信システム内で使用されることができる例示の無線アクセスネットワーク（ＲＡＮ）および例示のコアネットワーク（ＣＮ）を示すシステム図である。
【図１Ｄ】実施形態による図１Ａに示される通信システム内で使用されることができるさらなる例示のＲＡＮおよびさらなる例示のＣＮを示すシステム図である。
【図２】ネットワークスライスアーキテクチャの例を示す図である。
【図３】独立したネットワークスライス選択機能（ＮＳＳＦ）を備えるネットワークスライスアーキテクチャのもう１つの例を示す図である。
【図４】ＷＴＲＵ開始のネットワークスライス再選択の例を示す図である。
【図５】ネットワークスライス再選択の例示のコールフローを示す図である。
【図６】ネットワークスライス選択に関連する例示のバックオフメカニズムにおける例示のメッセージフローを示す図である。
【発明を実施するための形態】
【０００９】
これ以降、例示的な実施形態の詳細な記述について、さまざまな図面を参照して詳細に説明される。この説明は、可能な実施態様の詳細な例を提供するが、詳細は例示的であることが意図されており、本出願の範囲を決して限定しないことに留意されたい。
【００１０】
図１Ａは、１つまたは複数の開示される実施形態が実施されることができる例示の通信システム１００を示す図である。通信システム１００は、音声、データ、ビデオ、メッセージング、ブロードキャストなどのようなコンテンツを、複数の無線ユーザに提供する多重アクセスシステムであってもよい。通信システム１００は、複数の無線ユーザが、無線帯域幅を含むシステムリソースの共有を通じて、そのようなコンテンツにアクセスできるようにすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ｚｅｒｏ−ｔａｉｌ  ｕｎｉｑｕｅ−ｗｏｒｄ  ＤＦＴ−Ｓｐｒｅａｄ  ＯＦＤＭ（ＺＴ  ＵＷ  ＤＴＳ−ｓ  ＯＦＤＭ）、ユニークワードＯＦＤＭ（unique word OFDM）（ＵＷ−ＯＦＤＭ）、リソースブロックフィルタ処理ＯＦＤＭ（resource block-filtered OFDM）、フィルタバンクマルチキャリア（filter bank multicarrier）（ＦＢＭＣ）などのような、１つまたは複数のチャネルアクセス方法を採用することができる。
【００１１】
図１Ａにおいて示されるように、通信システム１００は、無線送信／受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、およびその他のネットワーク１１２を含むことができるが、開示される実施形態は、任意の数のＷＴＲＵ、基地局、ネットワーク、および／またはネットワーク要素を企図することが理解されるであろう。ＷＴＲＵ１０２ａ、１０２ｂ、１０２ｃ、１０２ｄは各々、無線環境において動作および／または通信するように構成された任意のタイプのデバイスであってもよい。一例として、いずれも「ステーション」および／または「ＳＴＡ」と称されることができる、ＷＴＲＵ１０２ａ、１０２ｂ、１０２ｃ、１０２ｄは、無線信号を送信および／または受信するように構成されることができ、ユーザ機器（ＵＥ）、移動局、固定または移動加入者ユニット、サブスクライバベースのユニット、ページャー、携帯電話、携帯情報端末（ＰＤＡ）、スマートフォン、ラップトップ、ネットブック、パーソナルコンピュータ、無線センサー、ホットスポットまたはＭｉ−Ｆｉデバイス、モノのインターネット（ＩｏＴ）デバイス、時計またはその他のウェアラブルなヘッドマウントディスプレイ（ＨＭＤ）、車両、ドローン、医療器具およびアプリケーション（たとえば、遠隔手術）、工業用デバイスおよびアプリケーション（たとえば、工業および／または自動処理チェーンのコンテキストにおいて動作するその他の無線デバイス）、家庭用電化製品、商業および／または工業用無線ネットワークで動作するデバイスなどを含むことができる。ＷＴＲＵ１０２ａ、１０２ｂ、１０２ｃ、および１０２ｄのいずれも、同義的にＵＥと称されてもよい。
【００１２】
通信システム１００はまた、基地局１１４ａおよび／または基地局１１４ｂを含むこともできる。基地局１１４ａ、１１４ｂは各々、ＣＮ１０６／１１５、インターネット１１０、および／またはネットワーク１１２のような１つまたは複数の通信ネットワークへのアクセスを容易にするため、ＷＴＲＵ１０２ａ、１０２ｂ、１０２ｃ、１０２ｄのうちの少なくとも１つと無線でインターフェイスを取るように構成された任意のタイプのデバイスであってもよい。一例として、基地局１１４ａ、１１４ｂは、無線基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、ｇＮＢ、ＮＲ  ＮｏｄｅＢ、サイトコントローラ、アクセスポイント（ＡＰ）、無線ルータなどであってもよい。基地局１１４ａ、１１４ｂは各々単一の要素として示されるが、基地局１１４ａ、１１４ｂは、任意の数の相互接続された基地局および／またはネットワーク要素を含むことができることが理解されよう。
【００１３】
基地局１１４ａはＲＡＮ１０４／１１３の一部であってもよく、また基地局コントローラ（ＢＳＣ）、無線ネットワークコントローラ（ＲＮＣ）、リレーノードなどのような、その他の基地局および／またはネットワーク要素（図示せず）を含むこともできる。基地局１１４ａおよび／または基地局１１４ｂは、セル（図示せず）と称されることもある１つまたは複数のキャリア周波数で無線信号を送信および／または受信するように構成されてもよい。これらの周波数は、ライセンススペクトル、アンライセンススペクトル、またはライセンスおよびアンライセンススペクトルの組み合わせであってもよい。セルは、比較的固定されてもよいか、または時間の経過に伴って変化することができる固有の地理的エリアに無線サービスのカバレッジを提供することができる。セルは、セルセクタにさらに分割されることができる。たとえば、基地局１１４ａに関連付けられているセルは、３つのセクタに分割されることができる。したがって、１つの実施形態において、基地局１１４ａは、３つの送受信機、すなわちセルのセクタごとに１つの送受信機を含むことができる。１つの実施形態において、基地局１１４ａは、多入力多出力（ＭＩＭＯ）技術を採用することができ、セルの各セクタに対して複数の送受信機を使用することができる。たとえば、ビームフォーミングは、望ましい空間方向に信号を送信および／または受信するために使用されることができる。
【００１４】
基地局１１４ａ、１１４ｂは、エアインターフェイス１１６を介して、ＷＴＲＵ１０２ａ、１０２ｂ、１０２ｃ、１０２ｄのうちの１つまたは複数と通信することができ、エアインターフェイス１１６は（たとえば、無線周波数（ＲＦ）、マイクロ波、センチ波、マイクロメータ波、赤外線（ＩＲ）、紫外線（ＵＶ）、可視光線など）任意の適切な無線通信リンクであってもよい。エアインターフェイス１１６は、任意の適切な無線アクセス技術（ＲＡＴ）を使用して確立されることができる。
【００１５】
さらに具体的には、前述のように、通信システム１００は、多元接続システムであってもよく、ＣＤＭＡ、ＴＤＭＡ、ＦＤＭＡ、ＯＦＤＭＡ、ＳＣ−ＦＤＭＡなどのような、１つまたは複数のチャネルアクセス方式を採用することができる。たとえば、ＲＡＮ１０４／１１３内の基地局１１４ａおよびＷＴＲＵ１０２ａ、１０２ｂ、１０２ｃは、広帯域ＣＤＭＡ（ＷＣＤＭＡ）を使用してエアインターフェイス１１５／１１６／１１７を確立することができるＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ：ユニバーサル移動体通信システム）Ｔｅｒｒｅｓｔｒｉａｌ  Ｒａｄｉｏ  Ａｃｃｅｓｓ（ＵＴＲＡ：地上波無線アクセス）のような無線技術を実施することができる。ＷＣＤＭＡは、高速パケットアクセス（ＨＳＰＡ）および／またはＥｖｏｌｖｅｄ  ＨＳＰＡ（ＨＳＰＡ＋）のような通信プロトコルを含むことができる。ＨＳＰＡは、高速ダウンリンク（ＤＬ）パケットアクセス（ＨＳＤＰＡ）および／または高速ＵＬパケットアクセス（ＨＳＵＰＡ）を含むことができる。
【００１６】
実施形態において、基地局１１４ａおよびＷＴＲＵ１０２ａ、１０２ｂ、１０２ｃは、Ｌｏｎｇ  Ｔｅｒｍ  Ｅｖｏｌｕｔｉｏｎ（ＬＴＥ）および／またはＬＴＥ−Ａｄｖａｎｄｅｄ（ＬＴＥ−Ａ）および／またはＬＴＥ−Ａｄｖａｎｃｅｄ  Ｐｒｏ（ＬＴＥ−Ａ  Ｐｒｏ）を使用してエアインターフェイス１１６を確立することができるＥｖｏｌｖｅｄ  ＵＭＴＳ  Ｔｅｒｒｅｓｔｒｉａｌ  Ｒａｄｉｏ  Ａｃｃｅｓｓ（Ｅ−ＵＴＲＡ）のような無線技術を実施することができる。
【００１７】
実施形態において、基地局１１４ａおよびＷＴＲＵ１０２ａ、１０２ｂ、１０２ｃは、Ｎｅｗ  Ｒａｄｉｏ（ＮＲ）を使用してエアインターフェイス１１６を確立することができるＮＲ  Ｒａｄｉｏ  Ａｃｃｅｓｓのような無線技術を実施することができる。
【００１８】
実施形態において、基地局１１４ａおよびＷＴＲＵ１０２ａ、１０２ｂ、１０２ｃは、複数の無線技術を実施することができる。たとえば、基地局１１４ａおよびＷＴＲＵ１０２ａ、１０２ｂ、１０２ｃは、たとえばデュアルコネクティビティ（ＤＮ）原理を使用して、ＬＴＥ無線アクセスとＮＲ無線アクセスを共に実施することができる。したがって、ＷＴＲＵ１０２ａ、１０２ｂ、１０２ｃによって使用されるエアインターフェイスは、複数のタイプの無線アクセス技術および／または複数の基地局（たとえば、ｅＮＢおよびｇＮＢ）に／から送信される送信によって特徴付けられることができる。
【００１９】
その他の実施形態において、基地局１１４ａおよびＷＴＲＵ１０２ａ、１０２ｂ、１０２ｃは、ＩＥＥＥ８０２．１１（すなわち、Ｗｉｒｅｌｅｓｓ  Ｆｉｄｅｌｉｔｙ（ＷｉＦｉ）、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などのような無線技術を実施することができる。
【００２０】
図１Ａの基地局１１４ｂは、たとえば、無線ルータ、Ｈｏｍｅ  Ｎｏｄｅ  Ｂ、Ｈｏｍｅ  ｅＮｏｄｅ  Ｂ、またはアクセスポイントであってもよく、事業所、家庭、車両、キャンパス、工業施設、空中回廊（たとえば、ドローンによる使用向け）、道路などのような、局在的な領域において無線接続を容易にするために任意の適切なＲＡＴを使用することができる。１つの実施形態において、基地局１１４ｂおよびＷＴＲＵ１０２ｃ、１０２ｄは、無線ローカルエリアネットワーク（ＷＬＡＮ）を確立するためにＩＥＥＥ８０２．１１のような無線技術を実施することができる。実施形態において、基地局１１４ｂおよびＷＴＲＵ１０２ｃ、１０２ｄは、無線パーソナルエリアネットワーク（ＷＰＡＮ）を確立するためにＩＥＥＥ８０２．１５のような無線技術を実施することができる。さらにもう１つの実施形態において、基地局１１４ｂおよびＷＴＲＵ１０２ｃ、１０２ｄは、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を使用して、ピコセルまたはフェムトセルを確立することができる。図１Ａにおいて示されるように、基地局１１４ｂは、インターネット１１０に直接接続することができる。したがって、基地局１１４ｂが、ＣＮ１０６／１１５を介してインターネット１１０にアクセスする必要はなくてもよい。
【００２１】
ＲＡＮ１０４／１１３は、ＣＮ１０６／１１５と通信することができ、音声、データ、アプリケーション、および／またはｖｏｉｃｅ  ｏｖｅｒ  ｉｎｔｅｒｎｅｔ  ｐｒｏｔｏｃｏｌ（ＶｏＩＰ）サービスをＷＴＲＵ１０２ａ、１０２ｂ、１０２ｃ、１０２ｄのうちの１つまたは複数に提供するように構成された任意のタイプのネットワークであってもよい。データは、異なるスループットの要件、待ち時間の要件、エラー許容の要件、信頼性の要件、データスループットの要件、モビリティの要件などの、さまざまなサービス品質（ＱｏＳ）要件を有することができる。ＣＮ１０６／１１５は、コール制御、課金サービス、モバイルロケーションベースのサービス、プリペイドコール、インターネット接続、ビデオ配信などを提供すること、および／またはユーザ認証のような高水準のセキュリティ機能を実行することができる。図１Ａにおいて示されていないが、ＲＡＮ１０４／１１３および／またはＣＮ１０６／１１５が、ＲＡＮ１０４／１１３と同じＲＡＴまたは異なるＲＡＴを採用するその他のＲＡＮと直接または間接的に通信できることが理解されよう。たとえば、ＮＲ無線技術を使用していることもあるＲＡＮ１０４／１１３に接続されていることに加えて、ＣＮ１０６／１１５はまた、ＧＳＭ、ＵＭＴＳ、ＣＤＭＡ  ２０００、ＷｉＭＡＸ、Ｅ−ＵＴＲＡ、またはＷｉＦｉ無線技術を採用する別のＲＡＮ（図示せず）と通信することもできる。
【００２２】
ＣＮ１０６／１１５はまた、ＰＳＴＮ１０８、インターネット１１０、および／またはその他のネットワーク１１２にアクセスするためのＷＴＲＵ１０２ａ、１０２ｂ、１０２ｃ、１０２ｄのゲートウェイとしての役割を果たすこともできる。ＰＳＴＮ１０８は、従来のアナログ電話回線サービス（ＰＯＴＳ）を提供する回線交換電話ネットワークを含むことができる。インターネット１１０は、ＴＣＰ／ＩＰインターネットプロトコルスイートの伝送制御プロトコル（ＴＣＰ）、ユーザデータグラムプロトコル（ＵＤＰ）、および／またはインターネットプロトコル（ＩＰ）のような、共通の通信プロトコルを使用する相互接続されたコンピュータネットワークおよびデバイスのグローバルシステムを含むことができる。ネットワーク１１２は、その他のサービスプロバイダによって所有および／または操作される有線および／または無線の通信ネットワークを含むことができる。たとえば、ネットワーク１１２は、ＲＡＮ１０４／１１３と同じＲＡＴまたは異なるＲＡＴを採用することができる１つまたは複数のＲＡＮに接続された別のＣＮを含むこともできる。
【００２３】
通信システム１００内のＷＴＲＵ１０２ａ、１０２ｂ、１０２ｃ、１０２ｄの一部または全部は、マルチモード機能を含むことができる（たとえば、ＷＴＲＵ１０２ａ、１０２ｂ、１０２ｃ、１０２ｄはさまざまな無線リンクを介してさまざまな無線ネットワークと通信するための複数の送受信機を含むことができる）。たとえば、図１Ａに示されるＷＴＲＵ１０２ｃは、セルラーベースの無線技術を採用することができる基地局１１４ａ、およびＩＥＥＥ８０２無線技術を採用することができる基地局１１４ｂと通信するように構成されることができる。
【００２４】
図１Ｂは、例示のＷＴＲＵ１０２を示すシステム図である。図１Ｂにおいて示されるように、ＷＴＲＵ１０２は、特に、プロセッサ１１８、送受信機１２０、送信／受信要素１２２、スピーカ／マイクロフォン１２４、キーパッド１２６、ディスプレイ／タッチパッド１２８、固定式メモリ１３０、取り外し可能メモリ１３２、電源１３４、全地球測位システム（ＧＰＳ）チップセット１３６、および／またはその他の周辺機器１３８を含むことができる。ＷＴＲＵ１０２が、前述の要素の任意の部分的組み合わせを含むことができ、引き続き実施形態に整合することが理解されよう。
【００２５】
プロセッサ１１８は、汎用プロセッサ、特殊用途プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他のタイプの集積回路（ＩＣ）、状態機械などであってもよい。プロセッサ１１８は、信号符号化、データ処理、電力制御、入出力処理、および／またはＷＴＲＵ１０２が無線環境で動作できるようにする任意の他の機能を実行することができる。プロセッサ１１８は、送信／受信要素１２２に結合されることができる送受信機１２０に結合されることができる。図１Ｂはプロセッサ１１８および送受信機１２０を別個のコンポーネントとして示すが、プロセッサ１１８および送受信機１２０が電子パッケージまたはチップに統合されることができることが理解されよう。
【００２６】
送信／受信要素１２２は、エアインターフェイス１１６を介して基地局（たとえば、基地局１１４ａ）に信号を送信するか、または基地局から信号を受信するように構成されることができる。たとえば、１つの実施形態において、送信／受信要素１２２は、ＲＦ信号を送信および／または受信するように構成されたアンテナであってもよい。実施形態において、送信／受信要素１２２は、たとえば、ＩＲ、ＵＶ、または可視光信号を送信および／または受信するように構成されたエミッタ／検出器であってもよい。さらにもう１つの実施形態において、送信／受信要素１２２は、ＲＦ信号および光信号を送信および／または受信するように構成されることができる。送信／受信要素１２２は、無線信号の任意の組み合わせを送信および／または受信するように構成されることができることが理解されよう。
【００２７】
図１Ｂにおいて、送信／受信要素１２２は単一の要素として示されるが、ＷＴＲＵ１０２は任意の数の送信／受信要素１２２を含むことができる。さらに具体的には、ＷＴＲＵ１０２は、ＭＩＭＯ技術を採用することができる。したがって、１つの実施形態において、ＷＴＲＵ１０２は、エアインターフェイス１１６を介して無線信号を送信および受信するために２つ以上の送信／受信要素１２２（たとえば、複数のアンテナ）を含むことができる。
【００２８】
送受信機１２０は、送信／受信要素１２２によって送信されるべき信号を変調し、送信／受信要素１２２によって受信される信号を復調するように構成されることができる。前述のように、ＷＴＲＵ１０２は、マルチモード機能を有することができる。したがって、送受信機１２０は、ＷＴＲＵ１０２が、たとえばＮＲおよびＩＥＥＥ８０２．１１のような複数のＲＡＴを介して通信できるようにするための複数の送受信機を含むことができる。
【００２９】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）表示ユニット、または有機発光ダイオード（ＯＬＥＤ）表示ユニット）に結合されてもよく、これらの機器からユーザ入力データを受信することができる。プロセッサ１１８はまた、スピーカ／マイクロフォン１２４、キーパッド１２６、および／またはディスプレイ／タッチパッド１２８にユーザデータを出力することもできる。加えて、プロセッサ１１８は、固定式メモリ１３０および／または取り外し可能メモリ１３２のような、任意のタイプの適切なメモリから情報にアクセスし、適切なメモリにデータを格納することができる。固定式メモリ１３０は、ランダムアクセスメモリ（ＲＡＭ）、読み取り専用メモリ（ＲＯＭ）、ハードディスク、または任意のその他のタイプのメモリストレージデバイスを含むことができる。取り外し可能メモリ１３２は、加入者識別モジュール（ＳＩＭ）カード、メモリスティック、セキュアデジタル（ＳＤ）メモリカードなどを含むことができる。その他の実施形態において、プロセッサ１１８は、サーバ上、またはホームコンピュータ（図示せず）上のような、ＷＴＲＵ１０２に物理的に位置していないメモリから情報にアクセスし、そのようなメモリにデータを格納することができる。
【００３０】
プロセッサ１１８は、電源１３４から電力を受信することができ、ＷＴＲＵ１０２内のその他のコンポーネントへの電力の配電および／または制御を行なうように構成されることができる。電源１３４は、ＷＴＲＵ１０２に電力を供給するための任意の適切なデバイスであってもよい。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３１】
プロセッサ１１８はまた、ＧＰＳチップセット１３６に結合されることができ、ＧＰＳチップセット１３６は、ＷＴＲＵ１０２の現在の位置に関する位置情報（たとえば、緯度および経度）を提供するように構成されることができる。ＧＰＳチップセット１３６からの情報に加えて、またはその情報の代わりに、ＷＴＲＵ１０２は、基地局（たとえば、基地局１１４ａ、１１４ｂ）からエアインターフェイス１１６を介して位置情報を受信すること、および／または２つ以上の近隣の基地局から受信されている信号のタイミングに基づいてその位置を決定することができる。ＷＴＲＵ１０２が、任意の適切な位置決定の方法を用いて位置情報を取得することができ、引き続き実施形態に整合することが理解されよう。
【００３２】
プロセッサ１１８は、その他の周辺機器１３８にさらに結合されてもよく、周辺機器１３８は、追加の特徴、機能、および／または有線もしくは無線接続を提供する１つまたは複数のソフトウェアおよび／またはハードウェアモジュールを含むことができる。たとえば、周辺機器１３８は、加速度計、電子コンパス、衛星送受信機、デジタルカメラ（写真および／またはビデオ用）、ユニバーサルシリアルバス（ＵＳＢ）ポート、振動装置、テレビ送受信機、ハンドフリーヘッドセット、Ｂｌｕｅｔｏｏｔｈ（登録商標）モジュール、周波数変調（ＦＭ）無線装置、デジタル音楽プレイヤー、メディアプレイヤー、テレビゲームプレイヤーモジュール、インターネットブラウザ、仮想現実および／または拡張現実（ＶＲ／ＡＲ）デバイス、アクティビティトラッカーなどを含むことができる。周辺機器１３８は、１つまたは複数のセンサーを含むことができ、センサーは、ジャイロスコープ、加速度計、ホール効果センサー、磁力計、方位センサー、近接センサー、温度センサー、時間センサー、ジオロケーションセンサー、高度計、光センサー、タッチセンサー、磁力計、気圧計、ジェスチャーセンサー、バイオメトリックセンサー、および／または湿度センサーのうちの１つまたは複数であってもよい。
【００３３】
ＷＴＲＵ１０２は、（たとえば、ＵＬ（たとえば、送信用）およびダウンリンク（たとえば、受信用）の両方の特定のサブフレームに関連付けられている）信号の一部または全部の送信および受信が並行および／または同時であってもよい、全二重無線を含むことができる。全二重無線は、ハードウェア（たとえば、チョーク）を介して、またはプロセッサ（たとえば、別個のプロセッサ（図示せず）もしくはプロセッサ１１８）を介する信号処理を介して、自己干渉を低減および／または実質的に除去するために、干渉管理ユニット１３９を含むことができる。実施形態において、ＷＴＲＵ１０２は、（たとえば、ＵＬ（たとえば、送信用）またはダウンリンク（たとえば、受信用）のいずれかの特定のサブフレームに関連付けられている）信号の一部または全部の送信および受信のための、半二重無線を含むことができる。
【００３４】
図１Ｃは、実施形態によるＲＡＮ１０４およびＣＮ１０６を示すシステム図である。前述のように、ＲＡＮ１０４は、Ｅ−ＵＴＲＡ無線技術を採用して、エアインターフェイス１１６を介してＷＴＲＵ１０２ａ、１０２ｂ、１０２ｃと通信することができる。ＲＡＮ１０４はまた、ＣＮ１０６と通信することもできる。
【００３５】
ＲＡＮ１０４はｅＮｏｄｅ−Ｂ１６０ａ、１６０ｂ、１６０ｃを含むことができるが、引き続き実施形態に整合しながら、ＲＡＮ１０４は任意の数のｅＮｏｄｅ−Ｂを含むことができることが理解されよう。ｅＮｏｄｅ−Ｂ１６０ａ、１６０ｂ、１６０ｃは各々、エアインターフェイス１１６を介してＷＴＲＵ１０２ａ、１０２ｂ、１０２ｃと通信するための１つまたは複数の送受信機を含むことができる。１つの実施形態において、ｅＮｏｄｅ−Ｂ１６０ａ、１６０ｂ、１６０ｃはＭＩＭＯ技術を実施することができる。したがって、たとえば、ｅＮｏｄｅ−Ｂ１６０ａは、複数のアンテナを使用して、ＷＴＲＵ１０２ａに無線信号を送信すること、および／またはＷＴＲＵ１０２ａから無線信号を受信することができる。
【００３６】
ｅＮｏｄｅ−Ｂ１６０ａ、１６０ｂ、１６０ｃは各々、特定のセル（図示せず）に関連付けられてもよく、無線リソース管理の決定、ハンドオーバの決定、ＵＬおよび／またはＤＬにおけるユーザのスケジューリングなどを処理するように構成されることができる。図１Ｃに示すように、ｅＮｏｄｅ−Ｂ１６０ａ、１６０ｂ、１６０ｃは、Ｘ２インターフェイスを介して相互に通信することができる。
【００３７】
図１Ｃに示されるＣＮ１０６は、モビリティ管理エンティティ（ＭＭＥ）１６２、サービス提供ゲートウェイ（ＳＧＷ）１６４、およびパケットデータネットワーク（ＰＤＮ）ゲートウェイ（またはＰＧＷ）１６６を含むことができる。前述の要素は各々、ＣＮ１０６の一部として示されているが、それらの要素のうちのいずれかがＣＮオペレータ以外のエンティティによって所有および／または操作されることができることが理解されよう。
【００３８】
ＭＭＥ１６２は、Ｓ１インターフェイスを介してＲＡＮ１０４内のｅＮｏｄｅ−Ｂ１６２ａ、１６２ｂ、１６２ｃの各々に接続されることができ、制御ノードとしての役割を果たすことができる。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期接続中に特定のサービス提供ゲートウェイを選択することなどに責任を負うことができる。ＭＭＥ１６２は、ＲＡＮ１０４と、ＧＳＭおよび／またはＷＣＤＭＡのような他の無線技術を採用するその他のＲＡＮ（図示せず）とを切り替えるための制御プレーン機能を提供することができる。
【００３９】
ＳＧＷ１６４は、Ｓ１インターフェイスを介してＲＡＮ１０４内のｅＮｏｄｅ−Ｂ１６０ａ、１６０ｂ、１６０ｃの各々に接続されることができる。ＳＧＷ１６４は一般に、ユーザデータパケットを、ＷＴＲＵ１０２ａ、１０２ｂ、１０２ｃとの間でルーティングおよび転送することができる。ＳＧＷ１６４は、ｅＮｏｄｅ−Ｂ間ハンドオーバ中にユーザプレーンを固定すること、ＤＬデータがＷＴＲＵ１０２ａ、１０２ｂ、１０２ｃに使用可能な場合にページングをトリガーすること、ＷＴＲＵ１０２ａ、１０２ｂ、１０２ｃのコンテキストを管理して格納することなどのような、その他の機能を実行することができる。
【００４０】
ＳＧＷ１６４は、ＰＧＷ１６６に接続されることができ、ＰＧＷ１６６は、インターネット１１０のようなパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。
【００４１】
ＣＮ１０６は、その他のネットワークとの通信を容易にすることができる。たとえば、ＣＮ１０６は、ＰＳＴＮ１０８のような回線交換ネットワークへのアクセスをＷＴＲＵ１０２ａ、１０２ｂ、１０２ｃに提供して、ＷＴＲＵ１０２ａ、１０２ｂ、１０２ｃと従来の地上通信線通信デバイスとの間の通信を容易にすることができる。たとえば、ＣＮ１０６は、ＣＮ１０６とＰＳＴＮ１０８との間のインターフェイスとしての役割を果たすＩＰゲートウェイ（たとえば、ＩＰマルチメディアサブシステム（ＩＭＳ）サーバ）を含むことができるか、またはＩＰゲートウェイと通信することができる。加えて、ＣＮ１０６は、その他のサービスプロバイダによって所有および／または操作される他の有線および／または無線ネットワークを含むことができるその他のネットワーク１１２へのアクセスをＷＴＲＵ１０２ａ、１０２ｂ、１０２ｃに提供することができる。
【００４２】
ＷＴＲＵは図１Ａ〜図１Ｄにおいて無線端末として説明されているが、特定の代表的な実施形態において、そのような端末が通信ネットワークとの有線通信インターフェイスを（たとえば、一時的または永続的に）使用することができることが企図される。
【００４３】
代表的な実施形態において、その他のネットワーク１１２は、ＷＬＡＮであってもよい。
【００４４】
インフラストラクチャ基本サービスセット（ＢＳＳ）モードにおけるＷＬＡＮは、ＢＳＳのアクセスポイント（ＡＰ）、およびＡＰに関連付けられている１つまたは複数のステーション（ＳＴＡ）を有することができる。ＡＰは、分散システム（ＤＳ）またはＢＳＳのトラフィック流入および流出を搬送する別のタイプの有線／無線ネットワークへのアクセスまたはインターフェイスを有することができる。ＢＳＳの外部から生じるＳＴＡへのトラフィックは、ＡＰを経由して到達することができ、ＳＴＡに配信されることができる。ＢＳＳの外部の宛先へのＳＴＡから生じるトラフィックは、それぞれの宛先に配信されるようにＡＰに送信されることができる。ＢＳＳ内のＳＴＡ間のトラフィックは、ＡＰを経由して送信されることができ、たとえば、ソースＳＴＡはトラフィックをＡＰに送信することができ、ＡＰはトラフィックを宛先ＳＴＡに配信することができる。ＢＳＳ内のＳＴＡ間のそのトラフィックは、ピアツーピアトラフィックと見なされる、および／または称されることができる。ピアツーピアトラフィックは、直接リンクセットアップ（ＤＬＳ）によりソースと宛先ＳＴＡの間で（たとえば間で直接に）送信されることができる。特定の代表的な実施形態において、ＤＬＳは、８０２．１１ｅＤＬＳまたは８０２．１１ｚトンネル化ＤＬＳ（ＴＤＬＳ）を使用することができる。独立ＢＳＳ（ＩＢＳＳ）モードを使用するＷＬＡＮは、ＡＰを有していないこともあり、ＩＢＢＳ内またはＩＢＳＳを使用するＳＴＡ（たとえば、ＳＴＡの全部）は、相互に直接通信することができる。通信のＩＢＳＳモードは、場合によっては本明細書において通信の「アドホック」モードと称されることができる。
【００４５】
８０２．１１ａｃインフラストラクチャ動作モード、または類似する動作モードを使用する場合、ＡＰは、１次チャネルのような固定チャネルでビーコンを送信することができる。１次チャネルは、固定の幅（たとえば、２０ＭＨｚ広帯域幅）であってもよいか、またはシグナリングを介して動的設定された幅であってもよい。１次チャネルは、ＢＳＳの動作チャネルであってもよく、ＡＰとの接続を確立するためにＳＴＡによって使用されることができる。特定の代表的な実施形態において、キャリア感知多重アクセス衝突回避（ＣＳＭＡ／ＣＡ）は、たとえば８０２．１１システムにおいて実施されることができる。ＣＳＭＡ／ＣＡの場合、ＡＰを含むＳＴＡ（たとえば、あらゆるＳＴＡ）は、１次チャネルを感知することができる。特定のＳＴＡにより１次チャネルがビジー状態であると感知される／検出される、および／または決定される場合、特定のＳＴＡはバックオフすることができる。１つのＳＴＡ（たとえば、唯一のステーション）は、所与のＢＳＳにおいて任意の所与の時間に送信することができる。
【００４６】
高スループット（ＨＴ）ＳＴＡは、たとえば、４０ＭＨｚ幅のチャネルを形成するために１次２０ＭＨｚチャネルと隣接または非隣接の２０ＭＨｚチャネルとの結合を介して、４０ＭＨｚ幅のチャネルを通信に使用することができる。
【００４７】
超高スループット（ＶＨＴ）ＳＴＡは、２０ＭＨｚ、４０ＭＨｚ、８０ＭＨｚ、および／または１６０ＭＨｚ幅のチャネルをサポートすることができる。４０ＭＨｚ、および／または８０ＭＨｚのチャネルは、連続する２０ＭＨｚチャネルを結合することによって形成されることができる。１６０ＭＨｚチャネルは、８つの連続する２０ＭＨｚチャネルを結合すること、または８０＋８０構成と称されることができる、２つの非連続の８０ＭＨｚチャネルを結合することによって形成されることができる。８０＋８０構成の場合、データは、チャネルエンコーディング後に、データを２つのストリームに分割することができるセグメントパーサを通過されることができる。逆高速フーリエ変換（ＩＦＦＴ）処理、および時間ドメイン処理は、各ストリームで別々に行なわれることができる。ストリームは、２つの８０ＭＨｚチャネルにマップされることができ、データは送信側ＳＴＡによって送信されることができる。受信側ＳＴＡの受信機において、８０＋８０構成の上記で説明される操作は逆転されることができ、結合されたデータはメディアアクセス制御（ＭＡＣ）に送信されることができる。
【００４８】
サブ１ＧＨｚの動作モードは、８０２．１１ａｆおよび８０２．１１ａｈによってサポートされる。チャネル動作帯域幅、およびキャリアは、８０２．１１ｎおよび８０２．１１ａｃにおいて使用される動作モードに応じて８０２．１１ａｆおよび８０２．１１ａｈにおいて低減される。８０２．１１ａｆは、ＴＶホワイトスペース（ＴＶＷＳ）スペクトルの５ＭＨｚ、１０ＭＨｚ、および２０ＭＨｚ帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚ帯域幅をサポートする。代表的な実施形態によると、８０２．１１ａｈは、マクロカバレッジエリアにおけるＭＴＣデバイスのような、メータータイプ制御／マシンタイプ通信をサポートすることができる。ＭＴＣデバイスは、特定の機能、たとえば特定および／または限られた帯域幅の（たとえばサポートのみ）サポートを含む、限定された機能を有することができる。ＭＴＣデバイスは、（たとえば、非常に長いバッテリ寿命を維持するために）しきい値を超えるバッテリ寿命を備えた電池を含むことができる。
【００４９】
８０２．１１ｎ、８０２．１１ａｃ、８０２．１１ａｆ、および８０２．１１ａｈのような、複数のチャネルおよびチャネル帯域幅をサポートするＷＬＡＮシステムは、１次チャネルと指定されることができるチャネルを含む。１次チャネルは、ＢＳＳ内のすべてのＳＴＡによってサポートされる最大共通動作帯域幅と等しい帯域幅を有することができる。１次チャネルの帯域幅は、最小帯域幅動作モードをサポートするＢＳＳで動作しているすべてのＳＴＡの中からのＳＴＡによって設定および／または制限されることができる。８０２．１１ａｈの例において、たとえＢＳＳ内のＡＰおよびその他のＳＴＡが、２ＭＨｚ、４ＭＨｚ、８ＭＨｚ、１６ＭＨｚ、および／またはその他のチャネル帯域幅動作モードをサポートする場合であっても、１次チャネルは、１ＭＨｚモードをサポートする（たとえば、サポートのみする）ＳＴＡ（たとえば、ＭＴＣタイプのデバイス）に対して１ＭＨｚ幅であってもよい。キャリア感知および／またはネットワーク割り当てベクトル（ＮＡＶ）設定は、１次チャネルのステータスに依存することができる。たとえば、（１ＭＨｚ動作モードのみをサポートする）ＳＴＡがＡＰに送信しているので、１次チャネルがビジー状態である場合、使用可能な周波数帯域全体は、周波数帯域の大部分がアイドル状態であり使用可能であったとしても、ビジー状態であると見なされることができる。
【００５０】
米国において、８０２．１１ａｈによって使用されることができる使用可能な周波数帯域は、９０２ＭＨｚから９２８ＭＨｚである。韓国において、使用可能な周波数帯域は９１７．５ＭＨｚから９２３．５ＭＨｚである。日本において、使用可能な周波数帯域は９１６．５ＭＨｚから９２７．５ＭＨｚである。８０２．１１ａｈに使用可能な合計帯域幅は、国識別コードに応じて６ＭＨｚから２６ＭＨｚである。
【００５１】
図１Ｄは、実施形態によるＲＡＮ１１３およびＣＮ１１５を示すシステム図である。前述のように、ＲＡＮ１１３は、ＮＲ無線技術を採用して、エアインターフェイス１１６を介してＷＴＲＵ１０２ａ、１０２ｂ、１０２ｃと通信することができる。ＲＡＮ１１３はまた、ＣＮ１１５と通信することもできる。
【００５２】
ＲＡＮ１１３はｇＮＢ１８０ａ、１８０ｂ、１８０ｃを含むことができるが、引き続き実施形態に整合しながら、ＲＡＮ１１３は任意の数のｇＮＢを含むことができることが理解されよう。ｇＮＢ１８０ａ、１８０ｂ、１８０ｃは各々、エアインターフェイス１１６を介してＷＴＲＵ１０２ａ、１０２ｂ、１０２ｃと通信するための１つまたは複数の送受信機を含むことができる。１つの実施形態において、ｇＮＢ１８０ａ、１８０ｂ、１８０ｃはＭＩＭＯ技術を実施することができる。たとえば、ｇＮＢ１８０ａ、１８０ｂは、ビームフォーミングを使用して、信号をｇＮＢ１８０ａ、１８０ｂ、１８０ｃに送信および／またはｇＮＢ１８０ａ、１８０ｂ、１８０ｃから受信することができる。したがって、たとえば、ｇＮＢ１８０ａは、複数のアンテナを使用して、ＷＴＲＵ１０２ａに無線信号を送信および／またはＷＴＲＵ１０２ａから無線信号を受信することができる。実施形態において、ｇＮＢ１８０ａ、１８０ｂ、１８０ｃはキャリアアグリゲーション技術を実施することができる。たとえば、ｇＮＢ１８０ａは、複数コンポーネントキャリアをＷＴＲＵ１０２ａ（図示せず）に送信することができる。これらのコンポーネントキャリアのサブセットは、アンライセンススペクトル上にあってもよいが、残りのコンポーネントキャリアはライセンススペクトル上にあってもよい。実施形態において、ｇＮＢ１８０ａ、１８０ｂ、１８０ｃは協調マルチポイント（ＣｏＭＰ）技術を実施することができる。たとえば、ＷＴＲＵ１０２ａは、ｇＮＢ１８０ａおよびｇＮＢ１８０ｂ（および／またはｇＮＢ１８０ｃ）から協調送信を受信することができる。
【００５３】
ＷＴＲＵ１０２ａ、１０２ｂ、１０２ｃは、スケーラブルなヌメロロジに関連付けられている送信を使用してｇＮＢ１８０ａ、１８０ｂ、１８０ｃと通信することができる。ＯＦＤＭシンボル間隔および／またはＯＦＤＭサブキャリア間隔は、さまざまな送信、さまざまなセル、および／または無線送信スペクトルのさまざまな部分について異なることができる。ＷＴＲＵ１０２ａ、１０２ｂ、１０２ｃは、さまざまな、またはスケーラブルな長さのサブフレームまたは送信時間間隔（ＴＴＩ）（たとえば、さまざまな数のＯＦＤＭシンボルを含む、および／またはさまざまな長さの絶対時間を存続する）を使用してｇＮＢ１８０ａ、１８０ｂ、１８０ｃと通信することができる。
【００５４】
ｇＮＢ１８０ａ、１８０ｂ、１８０ｃは、スタンドアロンの構成および／またはスタンドアロン以外の構成においてＷＴＲＵ１０２ａ、１０２ｂ、１０２ｃと通信するように構成されることができる。スタンドアロンの構成において、ＷＴＲＵ１０２ａ、１０２ｂ、１０２ｃは、（たとえば、ｅＮｏｄｅ−Ｂ１６０ａ、１６０ｂ、１６０ｃのような）その他のＲＡＮにもアクセスすることなく、ｇＮＢ１８０ａ、１８０ｂ、１８０ｃと通信することができる。スタンドアロンの構成において、ＷＴＲＵ１０２ａ、１０２ｂ、１０２ｃは、ｇＮＢ１８０ａ、１８０ｂ、１８０ｃのうちの１つまたは複数を、モビリティアンカーポイントとして使用することができる。スタンドアロンの構成において、ＷＴＲＵ１０２ａ、１０２ｂ、１０２ｃは、アンライセンス帯域において信号を使用してｇＮＢ１８０ａ、１８０ｂ、１８０ｃと通信することができる。スタンドアロン以外の構成において、ＷＴＲＵ１０２ａ、１０２ｂ、１０２ｃは、ｅＮｏｄｅ−Ｂ１６０ａ、１６０ｂ、１６０ｃのような別のＲＡＮとも通信／接続しながら、ｇＮＢ１８０ａ、１８０ｂ、１８０ｃと通信／接続することができる。たとえば、ＷＴＲＵ１０２ａ、１０２ｂ、１０２ｃは、１つまたは複数のｇＮＢ１８０ａ、１８０ｂ、１８０ｃ、および１つまたは複数のｅＮｏｄｅ−Ｂ１６０ａ、１６０ｂ、１６０ｃとほぼ同時に通信するために、ＤＣ原理を実施することができる。スタンドアロン以外の構成において、ｅＮｏｄｅ−Ｂ１６０ａ、１６０ｂ、１６０ｃは、ＷＴＲＵ１０２ａ、１０２ｂ、１０２ｃのモビリティアンカーとしての役割を果たすことができ、ｇＮＢ１８０ａ、１８０ｂ、１８０ｃは、ＷＴＲＵ１０２ａ、１０２ｂ、１０２ｃにサービス提供するための追加のカバレッジおよび／またはスループットを提供することができる。
【００５５】
ｇＮＢ１８０ａ、１８０ｂ、１８０ｃは各々、特定のセル（図示せず）に関連付けられることができ、無線リソース管理の決定、ハンドオーバの決定、ＵＬおよび／またはＤＬにおけるユーザのスケジューリング、ネットワークスライシングのサポート、デュアルコネクティビティ、ＮＲとＥ−ＵＴＲＡの間の相互作用、ユーザプレーン機能（ＵＰＦ）１８４ａ、１８４ｂへのユーザプレーンデータのルーティング、アクセスおよびモビリティ管理機能（ＡＭＦ）１８２ａ、１８２ｂへの制御プレーン情報のルーティングなどを処理するように構成されることができる。図１Ｄに示されるように、ｇＮＢ１８０ａ、１８０ｂ、１８０ｃは、Ｘｎインターフェイスを介して相互に通信することができる。
【００５６】
図１Ｄに示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含むことができる。前述の要素は各々、ＣＮ１１５の一部として示されているが、それらの要素のうちのいずれかがＣＮオペレータ以外のエンティティによって所有および／または操作されることができることが理解されよう。
【００５７】
ＡＭＦ１８２ａ、１８２ｂは、Ｎ２インターフェイスを介してＲＡＮ１１３内のｇＮＢ１８０ａ、１８０ｂ、１８０ｃの１つまたは複数に接続されることができ、制御ノードとしての役割を果たすことができる。たとえば、ＡＭＦ１８２ａ、１８２ｂは、ＷＴＲＵ１０２ａ、１０２ｂ、１０２ｃのユーザを認証すること、ネットワークスライシングのサポート（たとえば、異なる要件を備える異なるＰＤＵセッションの処理）、特定のＳＭＦ１８３ａ、１８３ｂを選択すること、登録エリアの管理、ＮＡＳシグナリングの終了、モビリティ管理などに責任を負うことができる。ネットワークスライシングは、ＷＴＲＵ１０２ａ、１０２ｂ、１０２ｃに使用されているサービスのタイプに基づいてＷＴＲＵ１０２ａ、１０２ｂ、１０２ｃのＣＮサポートをカスタマイズするために、ＡＭＦ１８２ａ、１８２ｂによって使用されることができる。たとえば、さまざまなネットワークスライスが、超高信頼性低遅延（ＵＲＬＬＣ）アクセスに依存するサービス、高度化マッシブモバイルブロードバンド（ｅＭＢＢ）アクセスに依存するサービス、マシンタイプ通信（ＭＴＣ）アクセスに依存するサービス、および／または類似するサービスのようなさまざまなユースケースについて確立されることができる。ＡＭＦ１６２は、ＲＡＮ１１３と、ＬＴＥ、ＬＴＥ−Ａ、ＬＴＥ−Ａ  Ｐｒｏのようなその他の無線技術、および／またはＷｉＦｉのような非３ＧＰＰアクセス技術を採用するその他のＲＡＮ（図示せず）とを切り替えるための制御プレーン機能を提供することができる。
【００５８】
ＳＭＦ１８３ａ、１８３ｂは、Ｎ１１インターフェイスを介してＣＮ１１５内のＡＭＦ１８２ａ、１８２ｂに接続されることができる。ＳＭＦ１８３ａ、１８３ｂはまた、Ｎ４インターフェイスを介してＣＮ１１５内のＵＰＦ１８４ａ、１８４ｂに接続されることもできる。ＳＭＦ１８３ａ、１８３ｂは、ＵＰＦ１８４ａ、１８４ｂを選択および制御することができ、ＵＰＦ１８４ａ、１８４ｂを通じてトラフィックのルーティングを構成することができる。ＳＭＦ１８３ａ、１８３ｂは、ＵＥ  ＩＰアドレスを管理し割り当てること、ＰＤＵセッションを管理すること、ポリシー実施およびＱｏＳを制御すること、ダウンリンクデータ通知を提供することなどのようなその他の機能を実行することができる。ＰＤＵセッションタイプは、ＩＰベース、非ＩＰベース、イーサネットベースなどであってもよい。
【００５９】
ＵＰＦ１８４ａ、１８４ｂは、Ｎ３インターフェイスを介してＲＡＮ１１３内のｇＮＢ１８０ａ、１８０ｂ、１８０ｃの１つまたは複数に接続されることができ、これはＷＴＲＵ１０２ａ、１０２ｂ、１０２ｃに、インターネット１１０のようなパケット交換ネットワークへのアクセスを提供して、ＷＴＲＵ１０２ａ、１０２ｂ、１０２ｃとＩＰ対応のデバイスとの間の通信を容易にすることができる。ＵＰＦ１８４、１８４ｂは、パケットをルーティングおよび転送すること、ユーザプレーンポリシーを実施すること、マルチホームＰＤＵセッションをサポートすること、ユーザプレーンＱｏＳを処理すること、ダウンリンクパケットをバッファに入れること、モビリティアンカリングを提供することなどのようなその他の機能を実行することができる。
【００６０】
ＣＮ１１５は、その他のネットワークとの通信を容易にすることができる。たとえば、ＣＮ１１５は、ＣＮ１１５とＰＳＴＮ１０８との間のインターフェイスとしての役割を果たすＩＰゲートウェイ（たとえば、ＩＰマルチメディアサブシステム（ＩＭＳ）サーバ）を含むことができるか、またはＩＰゲートウェイと通信することができる。加えて、ＣＮ１１５は、その他のサービスプロバイダによって所有および／または操作される他の有線および／または無線ネットワークを含むことができるその他のネットワーク１１２へのアクセスをＷＴＲＵ１０２ａ、１０２ｂ、１０２ｃに提供することができる。１つの実施形態において、ＷＴＲＵ１０２ａ、１０２ｂ、１０２ｃは、ＵＰＦ１８４ａ、１８４ｂへのＮ３インターフェイス、およびＵＰＦ１８４ａ、１８４ｂとローカルデータネットワーク（ＤＮ）１８５ａ、１８５ｂの間のＮ６インターフェイスを介してＵＰＦ１８４ａ、１８４ｂを通じてＤＮ１８５ａ、１８５ｂに接続されることができる。
【００６１】
図１Ａ〜図１Ｄ、および図１Ａ〜図１Ｄの対応する説明を考慮すると、本明細書において説明されるＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または任意のその他のデバイスのうちの１つまたは複数に関する本明細書において説明される機能の１つまたは複数、または全部は、１つまたは複数のエミュレーションデバイス（図示せず）によって実行されることができる。エミュレーションデバイスは、本明細書において説明される機能の１つまたは複数、または全部をエミュレートするように構成された１つまたは複数のデバイスであってもよい。たとえば、エミュレーションデバイスは、その他のデバイスをテストするため、および／またはネットワークおよび／またはＷＴＲＵ機能をシミュレートするために使用されることができる。
【００６２】
エミュレーションデバイスは、研究室環境および／またはオペレータネットワーク環境において、その他のデバイスの１つまたは複数のテストを実施するように設計されることができる。たとえば、１つまたは複数のエミュレーションデバイスは、通信ネットワーク内のその他のデバイスをテストするために有線および／または無線通信ネットワークの一部として全体的または部分的に実施および／または配備されている間、機能の１つまたは複数、または全部を実行することができる。１つまたは複数のエミュレーションデバイスは、有線および／または無線通信ネットワークの一部として一時的に実施および／または配備されている間、１つまたは複数、または全部の機能を実行することができる。エミュレーションデバイスは、テストのために別のデバイスに直接結合されることができる、および／またはオーバージエア無線通信を使用してテストを実行することができる。
【００６３】
１つまたは複数のエミュレーションデバイスは、有線および／または無線通信ネットワークの一部として実施／配備されていない間に、全部を含む、１つまたは複数の機能を実行することができる。たとえば、エミュレーションデバイスは、１つまたは複数のコンポーネントのテストを実施するために、テスト研究室および／または配備されていない（たとえば、テストの）有線および／または無線通信ネットワークのテストシナリオにおいて使用されることができる。１つまたは複数のエミュレーションデバイスは、テスト機器であってもよい。直接ＲＦ結合および／またはＲＦ回路（たとえば、１つまたは複数のアンテナを含むことができる）を介する無線通信は、データを送信および／または受信するためにエミュレーションデバイスによって使用されることができる。
【００６４】
本明細書において説明される通信ネットワークは、たとえば通信ネットワークを仮想化する手段として、複数のネットワークスライスを含むように構成されることができる。仮想化通信ネットワークにおいて、ＷＴＲＵは、仮想および／または専用のリソースが提供される差異化サービスを受信することができる。たとえば、第１のネットワークスライスは、スマートフォン向けサービスを提供するために使用されることができる。第２のネットワークスライスは、公共安全サービスのような重要なサービスを提供するために使用されることができる。第３のネットワークスライスは、センサー、マシン、および／または同種のものにＩｏＴサービスを提供するために使用されることができる。
【００６５】
図２は、ネットワークスライスの例示のアーキテクチャを示す。例示のアーキテクチャは、共有無線アクセスネットワーク（ＲＡＮ）および１つまたは複数のネットワークスライスを含むことができる。ネットワークスライスは、アクセスおよびモビリティ管理機能（ＡＭＦ）を含むことができ、これはまた本明細書において共通制御プレーン（ＣＰ）ネットワーク機能（ＣＣＮＦ）と称されてもよい。ネットワークスライスは、１つまたは複数のコアネットワーク（ＣＮ）スライス（ＣＮＳ）を含むことができる。ＡＭＦは、ネットワークスライスに関連する認証および／またはモビリティ管理機能のような機能をホスティングすることができる。ＣＮＳは、セッション管理機能のような機能（たとえば、スライスＣＰネットワーク機能）をホスティングすることができる。ＷＴＲＵは、たとえば、ネットワークに登録すると、（たとえば、少なくとも１つのネットワークスライスに関して）ＡＭＦによって割り振られることおよび／またはサービス提供されることができる。ＷＴＲＵは、ＷＴＲＵを識別する一時識別子（ＩＤ）、ＡＭＦ、および／またはＷＴＲＵとＡＭＦの間のアソシエーションを提供されることができる。
【００６６】
ＲＡＮは、ＷＴＲＵによって送信された登録メッセージをＡＭＦに方向付けるように構成されることができる。方向付けは、たとえばＷＴＲＵがネットワークに最初にアクセスするとき（たとえば、登録するとき）に生じることができ、ＷＴＲＵによって提供されるネットワークスライス選択支援情報（ＮＳＳＡＩ）に基づいてもよい。ＮＳＳＡＩは、本明細書において、支援情報および／またはネットワークスライス支援情報と称されることができ、同義的に使用されることができる。ＡＭＦは、ＲＡＮから方向付けられた登録メッセージを受信すると、ＷＴＲＵを認証および／または登録することができる。ネットワークスライス選択機能（ＮＳＳＦ）は、ＷＴＲＵの１つまたは複数のネットワークスライスを選択するように構成されることができる。ＮＳＳＦは、ＲＡＮおよび／またはＡＭＦの内部にある（たとえば、その一部である）ことができる。ＮＳＳＦはまた、ＲＡＮおよび／またはＡＭＦから独立することができる。
【００６７】
ネットワークスライス選択は、たとえば、ＷＴＲＵによって提供される支援情報、ネットワークおよび／またはＷＴＲＵについて構成されたローカルポリシー、ＷＴＲＵに関連付けられているサブスクリプション情報、ＷＴＲＵの能力、および／またはＷＴＲＵに関連付けられている地域情報を含むさまざまな要因に基づいて行なわれることができる。ネットワークスライスの選択は、ＷＴＲＵにサービス提供しているＡＭＦと少なくとも１つのＣＮＳの間のバインディングを生じさせることがある。
【００６８】
ＷＴＲＵは、ＷＴＲＵの操作のさまざまな段階中に支援情報で（たとえば、ネットワークにより）構成されることができる。たとえば、ＷＴＲＵは、ネットワークとの登録手順中にネットワークから支援情報を受信することができる。ＷＴＲＵはまた、オープンモバイルアライアンス（ＯＭＡ）デバイス管理（ＤＭ）手順を通じて支援情報を受信し、受信された支援情報についてネットワークに通知することもできる。ＷＴＲＵは、受信する支援情報を格納することができ、その後（たとえば、ネットワークから受信される新規または更新済み情報に基づいて）格納されている支援情報を更新することができる。ＷＴＲＵは、ネットワークスライスへのアクセスを要求するために、元のまたは更新済みの支援情報をネットワークノード（たとえば、ＲＡＮ、ＡＭＦ、ＮＳＳＦなど）に提供することができる。ネットワークノード（たとえば、ＲＡＮ、ＡＭＦ、ＮＳＳＦなど）は、ＷＴＲＵによって提供される支援情報を使用して、ＷＴＲＵのネットワークスライスを選択することができる。
【００６９】
本明細書において説明される支援情報は、以下の特徴のうちの１つまたは複数を含むことができる。支援情報は、アプリケーション識別を含むことができる。支援情報は、テナント識別（たとえば、アプリケーションサービスプロバイダを識別することができる）を含むことができる。支援情報は、ＷＴＲＵ使用クラスを含むことができる。支援情報は、デバイスタイプを含むことができる。支援情報は、ネットワークタイプの識別子（たとえば、ネットワークにより提供されるサービスを識別することができる）を含むことができる。
【００７０】
テナント識別は、ネットワークを使用して特定のタイプのサービスを提供することができる会社（たとえば、アプリケーションサービスプロバイダ）を識別することができる。ＷＴＲＵ使用クラスは、差異化サービス（たとえば、マッシブＩｏＴ、高度化モバイルブロードバンド（ｅＭＢＢ）、および／またはクリティカル通信（ＣｒｉＣ）など）を示すことができる。デバイスタイプは、たとえば、デバイスがスマートフォンであるか、ＭＴＣデバイスであるかどうかなどを指示することができる。デバイスタイプは、サブタイプを含むことができる。たとえば、サブタイプは、ＭＴＣデバイスが車両内にあることを指示することができる。デバイスタイプは、１つまたは複数のサービスサブタイプを含むことができる。サービスサブタイプは、たとえば、デバイスが、エンターテイメントサービスのような低遅延および高データ転送速度サービスをサポートすること、またはデバイスが低データ転送速度および低モビリティをサポートする（たとえば、センサータイプのＭＴＣデバイスの場合もある）ことを指示することができる。ネットワークタイプの識別子は、ネットワークが特定のタイプのデバイスをサポートするかどうかを指示することができる。たとえば、「ＭＴＣネットワーク」は、ＭＴＣデバイスがアクセスすることができるネットワークを識別するために使用されることができる。
【００７１】
特定の場合において、ＷＴＲＵは、ネットワークに登録するときに支援情報を有していないこともある。特定の場合において、ＷＴＲＵは、支援情報を保持することができるが、（たとえば、ネットワークがＷＴＲＵにＩＰアドレスなしでネットワークに登録できるようにすることができるので）ネットワークとのＰＤＮ接続を要求することができる。ネットワークおよび／またはＷＴＲＵは、ＷＴＲＵがネットワークに登録した後にＷＴＲＵに使用可能となる支援情報をネットワークおよび／またはＷＴＲＵが使用することができるかどうかおよび／またはどのように使用することができるかに関する１つまたは複数のルールで構成されることができる。
【００７２】
たとえば、ネットワーク（たとえば、ＡＭＦ、ＲＡＮ、モビリティ管理機能など）は、（たとえば、接続または登録メッセージのような）ＮＡＳメッセージをＷＴＲＵから受信するように構成されることができる。ネットワークは、ＷＴＲＵによって提供される支援情報の有無にかかわらずＮＡＳメッセージを受信することができる。ネットワークは、ＷＴＲＵのサブスクリプション、ローカルポリシー、能力（たとえば、ネットワーク能力）、および／またはその他の情報を評価（たとえば、検証）して、（たとえば、ＷＴＲＵがＮＡＳメッセージを伴う支援情報を含んでいた場合であっても）ＷＴＲＵの適切な（たとえば、許容可能な）支援情報を決定することができる。ネットワークにより決定された支援情報は、どのネットワークスライスにＷＴＲＵがアクセスすることを許可されることができるかに影響を及ぼすことができる。支援情報によるネットワークスライスの実際の選択は、たとえばＷＴＲＵがネットワークスライスによって提供されたそのネットワークスライスまたはサービスを使用しようと望む場合のような、その後になって生じることができる。
【００７３】
ネットワークは、どのネットワークスライスにＷＴＲＵがアクセスすることを許可されることができるか、および／またはそれらのスライスに対応する支援情報をスライス単位で決定することができる。ネットワークは、許可されたスライスおよびそれらの対応する支援情報に関する情報を、たとえばＷＴＲＵのコンテキストの一部として、格納することができる。ネットワークは、たとえば、スライスに関連付けられているサービスまたは接続がまだ要求されていない場合に、決定および格納を実行することができる。
【００７４】
ＷＴＲＵがネットワークに登録する場合、ネットワークは、ＷＴＲＵがネットワークとの接続および／またはネットワークからのサービスを要求しているかどうかを検証することができる。そのような場合、ネットワークは、接続および／またはサービスが、ＷＴＲＵに適切（たとえば、許容可能である）とネットワークが決定するネットワークスライスによって提供されることができるかどうかを検証することができる。そのような適切なネットワークスライスが存在する場合、ネットワークは、ネットワークスライスを選択して、ＷＴＲＵによって要求された接続および／またはサービスを提供することができる。ネットワークは、適切なネットワークスライスとの（たとえば、ネットワークスライスのＳＭ機能のような適切なスライスの１つまたは複数のノードとの）ＷＴＲＵの接続をセットアップすることができる。
【００７５】
ネットワークは、許可されるＮＳＳＡＩのリストをＷＴＲＵに指示する（たとえば、ＷＴＲＵを構成する）ことができる。ネットワークは、（たとえば、接続受諾メッセージのような）ＷＴＲＵに送信されたＮＡＳメッセージにおいて指示（たとえば、構成）を提供することができる。ネットワークは、どのネットワークスライスがＷＴＲＵに対してすでにセットアップされている接続を有することができるかをＮＡＳメッセージにおいて指示することができる。
【００７６】
ＷＴＲＵは、ネットワークから受信する支援情報を、たとえばＮＡＳシグナリングとして、またはネットワークからの応答メッセージで（たとえば接続受諾応答メッセージ）、最新の支援情報として処理することができる。ＷＴＲＵは、その既存の支援情報がある場合には、受信された情報で更新することができる。ＷＴＲＵは、たとえＷＴＲＵが支援情報をネットワークに最初に送信していた場合であっても、更新を実行することができる。ＷＴＲＵは、受信された情報に従ってローカルポリシーを作成および／または更新することができる。たとえば、ＷＴＲＵは、ＷＴＲＵが（たとえば、許可されたＮＳＳＡＩに基づいて）アクセスすることを許可されることができるネットワークスライスのリストを含むようにそのローカルポリシーを更新することができる。
【００７７】
ＷＴＲＵは、受信された支援情報について上位層に通知することができる。ＷＴＲＵは、ＷＴＲＵがネットワークスライスとの接続またはネットワークスライスからのサービスを要求するときに、ネットワークから受信された最新の支援情報を使用すること、および含めることができる。ＷＴＲＵは、ＷＴＲＵが接続またはサービスを要求するときに、受信された支援情報を使用することができるかどうかを指示することができるポリシーで構成されることができる。ＷＴＲＵは、支援情報を含めることなく接続またはサービスの要求を送信することができる。ネットワークは、たとえばＷＴＲＵが接続および／またはサービスの要求に支援情報を含まない場合、ＷＴＲＵに適切なスライス（たとえば、デフォルトＮＳＩのようなデフォルトのスライス）を選択することができる。
【００７８】
図３は、ネットワークスライスアーキテクチャのもう１つの例を示す。この例示のアーキテクチャにおいて、ＮＳＳＦ機能は、ＲＡＮまたはＣＣＮＦ（たとえば、ＡＭＦ）から独立している論理機能として示される。そのようなＮＳＳＦは、本明細書において、たとえばスライス選択機能またはＳＳＦと称されることができる。図３の例示のアーキテクチャを使用して、ネットワークスライスは、ＲＡＮ、ＣＣＮＦ、および１つまたは複数のＣＮＳを（たとえば、連結として）含むように構成されることができる。ＷＴＲＵは、１つまたは複数のネットワークスライスからサービスを（たとえば、同時に）受信するように構成されることができる。そのようなシナリオにおいて、ＷＴＲＵは、ＲＡＮ、ＣＣＮＦ、および複数のネットワークスライスと通信することが可能であってもよい。
【００７９】
ＷＴＲＵは、ネットワークスライスに登録することができ、１つまたは複数のネットワークスライスにアクセスすることができる。１つまたは複数のネットワークスライスに関連付けられると、ＷＴＲＵは、その構成、動作パラメータ、サブスクリプション、サービス要件、サービス／アプリケーションプロバイダ、および／または同様のものの変更を経験することができる。たとえば、ＭＴＣデバイスは、移動性を抑えるように構成されることができ、そのようなデバイスの現在選択されているネットワークスライスは、静的ＭＴＣデバイスに合わせて調整されることができる。しかし、ＭＴＣデバイスに関連付けられているサービス要件は、変化することができ、デバイスは以前よりも頻繁に移動し始めることができる。そのようなサービス要件の変化は、ＭＴＣデバイスのネットワークスライスの変化に至ることがある。たとえば、より高いモビリティおよび／またはユーザプレーン上のより高い通信のレートを処理することができる新しいスライスは、ＭＴＣデバイスに選択されることができる。
【００８０】
以下のうちの１つまたは複数は、ネットワークスライス再選択中に生じることがある。ネットワークは、新しいサービス要件があると決定することができる。ネットワークは、ネットワークスライスの一部または全部が再選択されることができるかどうかを決定することができる。ネットワークは、新しいサービス要件を反映することができる新しい（たとえば、更新された）支援情報をＷＴＲＵに提供することができ、たとえばＷＴＲＵにサービス提供するために新しいネットワークスライスが選択されることができるように、ＷＴＲＵに更新済みの支援情報に再登録するよう命令することができる。新しい情報を受信すると、ＷＴＲＵは、受信をネットワークに肯定応答することができる。ネットワークは、ＷＴＲＵに、必要に応じて新しいネットワークスライスに移動することを許容することができる。移動（たとえば、ネットワークスライス間を切り替える）は、たとえばアプリケーションサービスプロバイダによって実施されたサブスクリプション変更に起因することもある。
【００８１】
スライス再選択は、たとえば、ＷＴＲＵが１つまたは複数のネットワークスライスに関連付けられた（たとえば、同時に関連付けられた）後に、ＷＴＲＵによって開始されることができる。ＷＴＲＵは、ＷＴＲＵに関連付けられている１つまたは複数のネットワークスライスに対応するネットワークスライス選択支援情報（ＮＳＳＡＩ）を所有することができる。たとえば、ＷＴＲＵは、ＷＴＲＵに関連付けられているネットワークスライスに各々対応する（たとえば、支援情報の各セットがネットワークスライスを一意に識別することができる）、ＮＳＳＡＩの複数のセットを所有することができる。ＮＳＳＡＩの複数のセットは、たとえば、ネットワークへの登録手順において、またはそれぞれの１つまたは複数のネットワークスライスに接続すると、ネットワークによってＷＴＲＵに提供されることができる。
【００８２】
１つまたは複数のネットワークスライスに関連付けられることに続いて、ＷＴＲＵは、更新された支援情報をネットワークから受信することができる。更新された支援情報は、ネットワークによって送信された１つまたは複数のメッセージに含まれることができる。更新された支援情報は、ＷＴＲＵに現在サービス提供しているネットワークスライスに関連付けられている変更を指示することができる。変更は、たとえば、ＷＴＲＵのサブスクリプション情報の変更、ＷＴＲＵのモビリティの変更、既存のネットワークスライスにより提供されるサービスタイプの変更、ＷＴＲＵとの間で送信されるデータに関連付けられているサービスタイプの変更、ＷＴＲＵとの間で送信されるデータの優先度の変更、ネットワークの動作条件の変更、および／または同様のものを含むことができる。ＷＴＲＵは、ＯＭＡ  ＤＭを介して、ショートメッセージサービス（ＳＭＳ）を介して、またはその他の上位層プロトコルを介して、更新された支援情報を受信することができる。更新された支援情報は、ＷＴＲＵが現在登録されているネットワークスライスの１つまたは複数を再選択する（たとえば、修正する）ことをＷＴＲＵに行なわせることができる。
【００８３】
ネットワークスライス選択および／または再選択に関してＷＴＲＵの振る舞いは、ＷＴＲＵの１つまたは複数の構成によって制御されることができる。そのような構成は、ネットワークとの初期登録手順において、および／またはＷＴＲＵがネットワークに登録した後のＷＴＲＵの通常動作中に、ＷＴＲＵによって受信されることができる。構成は、支援情報の１つまたは複数のセットに割り当てられた（たとえば、マップされた）それぞれの優先度を制御することができる。たとえば、より高い優先度はＵＲＬＬＣスライスに割り当てられることができ、より低い優先度はｅＭＢＢスライスに割り当てられることができるなどである。構成は、ＷＴＲＵのローカルポリシーを定義することができ、これは（たとえば、いつおよび／またはどのタイプの状況において）ＷＴＲＵがネットワークスライスをどのように選択、再選択、および／またはアクセスすることができるかを指図することができる。ＷＴＲＵは、支援情報のセットを受信するとそのローカルポリシーをチェックして、それらのポリシーに基づいて、支援情報で行なう適切なアクションを決定するように構成されることができる。
【００８４】
ＷＴＲＵのローカルポリシーは、ＷＴＲＵが対応するネットワークスライスにアクセスするために支援情報のセットをいつ使用することができるかを制御することができる。たとえば、ＷＴＲＵのローカルポリシーは、ＷＴＲＵが、支援情報を受信すると直ちに、またはＷＴＲＵが（たとえば、支援情報についてネットワークに通知するため、定期的登録を実行するためなど）特定の目的でネットワークにコンタクトした後に、ＷＴＲＵが支援情報のセットを使用することができるかどうかを指図することができる。例において、ＷＴＲＵが、支援情報に関連付けられているローカルポリシーに基づいて、支援情報が即時的に構成されることを決定する場合、ＷＴＲＵは、支援情報を受信した直後にネットワークスライスに接続するために支援情報のセットを使用するよう決定することができる。例において、ＷＴＲＵが、支援情報に関連付けられているローカルポリシーに基づいて、ネットワークスライスが現在ＷＴＲＵにサービス提供しているネットワークスライスの優先度よりも高い優先度を有することを決定する場合、ＷＴＲＵは、支援情報を受信した直後にネットワークスライスに接続するために支援情報のセットを使用するよう決定することができる。例において、ＷＴＲＵが、支援情報に関連付けられているローカルポリシーに基づいて、即時のアクションが必要ではないことを決定する場合、または支援情報の優先度がネットワークスライスが現在ＷＴＲＵにサービス提供しているネットワークスライスの優先度よりも低い場合、ＷＴＲＵは、受信された支援情報のセットに対する行動を遅延させることができる。
【００８５】
ＷＴＲＵが支援情報のセットに対する行動を遅延させるよう決定する場合において、ＷＴＲＵが支援情報についてネットワークに通知するためにネットワークにコンタクトする機会を有するまでアクションを遅延させることができる。ネットワークにコンタクトする機会は、たとえば、モバイル発信の（ＭＯ）データ（たとえば、アップリンクデータ）またはモバイル終端の（ＭＴ）データ（たとえば、ダウンリンクデータ）、ネットワークページング、定期的登録、および／または同様のものを送信することを含むさまざまな理由により生じることができる。
【００８６】
ＷＴＲＵのローカルポリシーは、どの支援情報のセットがＷＴＲＵによって使用されることができるかを制御し、それによりＷＴＲＵが所与の時間においてどのネットワークスライスに接続することができるかを制御することができる。たとえば、ＷＴＲＵのローカルポリシーは、許可されるＮＳＳＡＩ（たとえば、ＷＴＲＵの現在のサービス提供ネットワークによってサポートされるＮＳＳＡＩ）のリストを含むことができる。許可されるＮＡＳＳＩのリストは、ＷＴＲＵが（たとえば、接続手順を介して）サービス提供ネットワークに登録するとき、および／またはＷＴＲＵがネットワークにすでに登録した後にＷＴＲＵの通常操作中に生成されることができる。ＷＴＲＵは、許可されるＮＳＳＡＩのリストをＷＴＲＵのメモリに（たとえば、ＷＴＲＵのローカルポリシーの一部として）格納することができる。更新された支援情報を受信すると、ＷＴＲＵは、そのローカルポリシーをチェックして、更新された支援情報がローカルポリシーによって許可されたものの中にある（たとえば、現在のサービス提供ネットワークによってサポートされる）かどうかを決定することができる。ＷＴＲＵが、更新された支援が許可されることを決定する場合、ＷＴＲＵは、更新された支援情報に対応するネットワークスライスへの接続を要求するためにサービス提供ネットワークに要求（たとえば、セッション管理要求）を送信することができる。接続要求は、たとえば、更新された支援情報の一部または全体を含むことができる。
【００８７】
支援情報の使用ならびにネットワークスライスの選択および再選択が、ローカルポリシーのようなＷＴＲＵの構成により制御されるものと上記の例で説明されているが、ＷＴＲＵの振る舞いはまた、支援情報自体に含まれる情報により制御されることもできる。たとえば、支援情報は、ＷＴＲＵが支援情報をいつ使用開始できるのかを制御するためにＷＴＲＵにタイマーを使用させる命令を含むことができる。支援情報は、タイマーの期間を指定することができ、支援情報を使用する前に指定された期間が満了するまでＷＴＲＵに待機させることができる。
【００８８】
更新された支援情報を受信すると、ＷＴＲＵは、たとえばローカルポリシーおよび／または更新された支援情報に含まれる情報に基づいて、次のアクションを行なう前にタイマーを始動させることができる。タイマーは、ＷＴＲＵが更新された支援情報についてネットワーク（たとえば、異なるＡＭＦ）にいつ通知することができるか、および／またはＷＴＲＵが対応するネットワークスライスに接続するために更新された支援情報をいつ使用することができるかを指示（たとえば、指図）することができる。ＷＴＲＵは、モバイル発信のシグナリングを通じて更新された支援情報についてネットワーク（たとえば、異なるＡＭＦ）に通知することができる。モバイル発信のシグナリングは、その他のシグナリングまたはＷＴＲＵとネットワークの間のシグナリングを必要とするイベントには無関係であってもよい。
【００８９】
上記で説明されているタイマーの期間は、ＷＴＲＵに対して事前構成済みであってもよいか、または更新された支援情報において指示されることができる。タイマーの期間は、支援情報の優先度に従って異なっていてもよい。たとえば、タイマーの期間は、支援情報の優先度が高い（たとえば、現在ＷＴＲＵにサービス提供しているスライスの優先度よりも高い）場合に、小さい数値（たとえば、即時性を指示することができるゼロ値を含む）に設定されることができる。支援情報の優先度が低い（たとえば、現在ＷＴＲＵにサービス提供しているスライスの優先度よりも低い）場合に、タイマーの期間は大きい数値に設定されることができる。
【００９０】
ＷＴＲＵは、上記で説明されるタイマーが満了する前に、さまざまな理由で接続済みモードに入ることができる。たとえば、ＷＴＲＵは、モバイル発信（ＭＯ）および／またはモバイル終端（ＭＴ）データまたは制御情報を送信および／または受信するために接続済みモードに入ることができる。そのようなシナリオにおいて、ＷＴＲＵは、ＭＯおよび／またはＭＴ通信の目的で送信されるメッセージにネットワークスライスに関連する情報を含む（たとえば、結合する）ように構成されることができる。
【００９１】
ＷＴＲＵは、更新された支援情報を受信すると、ＷＴＲＵの現在の支援情報を更新された支援情報と置き換えるように、または更新された支援情報に基づいて現在の支援情報を更新するように構成されることができる。たとえば、ＷＴＲＵは、現在の支援情報を、受信された支援情報全体と置き換えることができる。ＷＴＲＵはまた、現在の支援情報を更新するために、受信された支援情報の一部を使用することもできる。ＷＴＲＵが更新された支援情報を受信した後はいつでも、ＷＴＲＵは現在の支援情報を置き換えるかまたは更新することが許可されることができる。ＷＴＲＵは、ネットワークスライス、サービス、および／または接続への潜在的な調整について上位層（たとえば、上位層アプリケーション）に通知することができる。ＷＴＲＵは、たとえば潜在的な調整に関する情報をユーザに表示することによって、潜在的な調整についてＷＴＲＵのユーザに通知することができる。
【００９２】
ＷＴＲＵは、新しいネットワークスライスが選択されるべきであるか、または１つまたは複数の既存のネットワークスライスが置き換えられるべきであると決定すると、非アクセス階層（ＮＡＳ）メッセージのような制御プレーンメッセージを、ＷＴＲＵにサービス提供しているネットワークに送信することができる。制御プレーンメッセージは、新しいネットワークスライスに接続したい、または既存のネットワークスライスを置き換えたいという要望を指示することができる。ＷＴＲＵは、ネットワークスライス選択および／または置き換えのために既存のＡＭＦ（たとえば、現在ＷＴＲＵにサービス提供しているＡＭＦ）または新しいＡＭＦを使用するかどうかを決定することができる。ＷＴＲＵは、（たとえば、後段においてさらに詳細に説明されるように）更新された支援情報に含まれる情報に基づいて、および／またはローカルポリシーに基づいて決定を行なうことができる。たとえば、ＷＴＲＵは、ＷＴＲＵがネットワークスライス再選択のために新しいＡＭＦにコンタクトすべきであると指示するローカルポリシーで事前構成されることができる。
【００９３】
既存のＡＭＦが使用されることができるとＷＴＲＵが決定する場合、ＷＴＲＵは、既存のＡＭＦに関連付けられている一時ＩＤを制御プレーンメッセージに含めることができる。上記で説明されるように、一時ＩＤは、ＷＴＲＵおよび／またはＷＴＲＵとＡＭＦの間のアソシエーションを識別するために、サービス提供ネットワークへの登録手順においてＷＴＲＵに提供されることができる。ＷＴＲＵはまた、更新された支援情報および／または更新された支援情報に関連付けられている優先度および／またはポリシーの指示を制御プレーンメッセージに含めることができる。
【００９４】
新しいＡＭＦが使用されるべきであるとＷＴＲＵが決定する場合、ＷＴＲＵは、一時ＩＤを制御プレーンメッセージに含めないことができる。そのような省略は、たとえば、ネットワークに新しいＡＭＦを選択させることができる。ＷＴＲＵは、更新された支援情報（たとえば、更新された支援情報の一部または全部）および／または更新された支援情報に関連付けられている優先度および／またはポリシーの指示を制御プレーンメッセージに含めることができる。
【００９５】
ＷＴＲＵは、たとえば更新された支援情報を受信すると、および／またはローカルポリシーに基づいて、（たとえば、ネットワークスライスから切断するために）ネットワークスライスとの接続を非アクティブ化するよう求める要求を送信することができる。たとえば、更新された支援情報がネットワークスライスに関連付けられているＷＴＲＵの既存の支援情報が陳腐化したことを指示する場合、更新された支援情報がネットワークスライスによってサポートされていないことをＷＴＲＵが決定する場合など、ＷＴＲＵは非アクティブ化要求を送信することができる。ＷＴＲＵは、たとえば非アクティブ化要求で、非アクティブ化の理由を指示することができる。たとえば、支援情報の変更により、またはネットワークスライスがＷＴＲＵによって受信された更新された支援情報をサポートしないので、ＷＴＲＵは、自身をネットワークスライスから切断していることを指示することができる。
【００９６】
ネットワークスライスから切断した後、ＷＴＲＵは、更新された支援情報を使用して、同一または異なるネットワークスライスに自身を再接続することができる。ＷＴＲＵは、更新された支援情報を下位層に提供することができる。ＷＴＲＵは、更新された支援情報をＮＡＳメッセージに含めることができる。ＷＴＲＵは、ＲＡＮがもはやメッセージ（たとえば、ＮＡＳメッセージ）をそのネットワークスライスにルーティングしないように、切断されたネットワークスライスに関連付けられている（たとえば、ＷＴＲＵの識別を表すことができる）一時ＩＤを、削除することができる。
【００９７】
図４は、ＷＴＲＵ開始のネットワークスライス再選択の例を示す。４１０において、ＷＴＲＵは、更新された支援情報（Ａｉｎｆ）をネットワークから受信することができる。更新されたＡｉｎｆは、たとえば、ネットワークによって送信された１つまたは複数のメッセージに含まれることができる。４２０において、ＷＴＲＵは、Ａｉｎｆに基づいて、現在のネットワークスライス（たとえば、ＷＴＲＵにサービス提供しているスライス）への接続が切断されるべきであるかどうかを決定することができる。たとえば、ＷＴＲＵのサービス要件（たとえば、待ち時間要件）が変化したことをＡｉｎｆが指示する場合、ＷＴＲＵは、現在のスライスから切断することを決定することができる。４２０において、ＷＴＲＵが現在のスライスから切断することを決定する場合、ＷＴＲＵは、４３０において、現在のスライスへの接続を非アクティブ化することができる。
【００９８】
４２０において、ＷＴＲＵが現在のスライスから切断しないことを決定する場合、ＷＴＲＵは、４４０において、Ａｉｎｆがある場合には、どのタイプのＡｉｎｆが新しいネットワークスライスに接続するよう求める要求に含まれるべきであるかを決定するためにローカルポリシーをチェックすることができる。たとえば、ローカルポリシーは、許可されるＡｉｎｆのリストを含むことができ、ＷＴＲＵは、これがリストにある場合にはＡｉｎｆを送信するだけでよい。４５０において、ＷＴＲＵは、たとえば受信された更新されたＡｉｎｆに基づいて、新しいネットワークスライスへの接続を確立するために新しいＡＭＦに登録すべきであるかどうかを決定することができる。４５０において、ＷＴＲＵが新しいＡＭＦに登録すべきであると決定する場合、ＷＴＲＵは、４４０において決定されたＡｉｎｆをＷＴＲＵが含めることができる新しいＡＭＦに登録要求を送信することができる。ＷＴＲＵは、要求が新しいＡＭＦに送信される場合、既存のＡＭＦに関連付けられている一時ＩＤを削除することができる。４５０において、ＷＴＲＵが新しいＡＭＦではなく既存のＡＭＦを使用することができると決定する場合、ＷＴＲＵは、４４０において決定されたＡｉｎｆおよび既存のＡＭＦに関連付けられている一時ＩＤをＷＴＲＵが含めることができる既存のＡＭＦにスライス接続要求を送信することができる。
【００９９】
ＷＴＲＵのネットワークスライス再選択は、ＲＡＮ、ＡＭＦ、および／またはＣＮＳによってなど、ネットワークにより開始されることができる。ネットワークは、スライス再選択に関連する１つまたは複数のアクションを個別にまたは組合わせて行なうことができる。たとえば、ネットワークは、ＷＴＲＵに関連付けられているスライス（たとえば、ＡＭＦおよび／またはＣＮＳ）が変更されるかまたは置き換えられることができることを決定することができる。決定は、たとえば、以下のうちの１つまたは複数に基づいてもよい。決定は、ネットワークポリシーの更新に基づいてもよい。決定は、ＷＴＲＵに関連付けられている更新されたサブスクリプション情報を（たとえば、サブスクライバデータベースから）受信するネットワークに基づいてもよい。決定は、たとえば負荷条件の変更により、ＷＴＲＵのスライスを再選択するための別のネットワークコンポーネント（たとえばＳＭ機能）からの要求を受信するネットワークに基づいてもよい。決定は、ＷＴＲＵから更新された支援情報を受信するネットワークに基づいてもよい。そのような支援情報は、たとえば、ＷＴＲＵのローカルポリシーおよび／またはサブスクライバ情報を含むことができる。
【０１００】
ネットワークは、どのネットワークスライスがＷＴＲＵに割り当てられることができるかを決定するように構成されたＮＳＳＦを含むことができる。ＮＳＳＦは、たとえば図３に示されるように、独立した論理機能であってもよい。ネットワークは、更新された支援情報をＷＴＲＵから受信することができ、更新された支援情報をＮＳＳＦに転送して、ＷＴＲＵのネットワークスライスを選択するよう要求することができる。ＮＳＳＦは、ＷＴＲＵのネットワークスライスを選択する際に、支援情報をその他のポリシーおよび／または情報と組合わせて使用することができる。ネットワークスライスが選択されると、ＮＳＳＦは、新しく選択されたネットワークスライスに関する情報をネットワークに提供することができる。そのような情報は、新しいＡＭＦの識別（たとえば、ＡＭＦアドレス）、新しいＣＮＳアドレス、新しいＣＮＳタイプなどを含むことができる。
【０１０１】
ネットワークは、ＮＳＳＦから受信された情報を処理することができる。処理は、ＷＴＲＵが関連付けられている現在のＡＭＦおよび／またはＣＮＳが引き続きＷＴＲＵにサービス提供することができるか、またはその他のＣＮＳおよび／またはＡＭＦがＷＴＲＵに選択されるべきであるかを決定することを含むことができる。本明細書において参照される場合、ＡＭＦは、ＡＭＦ内の任意の機能に対応することができる。
【０１０２】
現在のＡＭＦが引き続きＷＴＲＵにサービス提供することができることをネットワークが決定する場合、ネットワークは、ＷＴＲＵの既存のＣＮＳが変更されるべきであるかどうか、および／またはその他のＣＮＳがＷＴＲＵに選択されるべきであるかどうかをさらに決定することができる。その他のＣＮＳは、ネットワークへのＷＴＲＵの接続を提供および／または管理することができるネットワークスライス、ＳＭ機能をホスティングするネットワークスライス、および／または同様のものに対応することができる。ＷＴＲＵに他のＣＮＳが選択されないことをネットワークが決定する場合、ネットワークは、再選択プロセスを停止することができ、ＷＴＲＵ支援情報を送信することができる。支援情報は、ＷＴＲＵが現在所有している支援情報と同じであっても異なっていてもよい。たとえば、ネットワークによって提供された支援情報は、ＷＴＲＵの支援情報の既存のセットと同じであってもよいか、または支援情報の既存のセットへの更新を含むこともできる。
【０１０３】
１つまたは複数のその他のＣＮＳがＷＴＲＵに選択されることをネットワークが決定する場合、ネットワークは、これがＣＮＳに接続することができるかどうかを決定（たとえば、検証）することができる。決定は、ネットワークにより所有されているか導出可能なローカル情報に基づいて行なわれることができる。ローカル情報は、たとえば、ＡＭＦまたはＣＣＮＦにおけるオペレータ定義のローカルポリシーを含むことができる。決定が、ネットワークがその他のＣＮＳに接続できることである場合、ネットワークは、以下のアクションのいずれかを実行するように続行することができる。ネットワークは、置き換えられるべきＷＴＲＵとＣＮＳの間の接続を非アクティブ化することができる。ネットワークは、非アクティブ化されるべき接続を指示する非アクティブ化要求をＷＴＲＵに送信することができる。非アクティブ化要求において、ネットワークは、非アクティブ化されるべき接続の代わりに新しい接続を確立するためにＷＴＲＵによって使用されることができる更新された支援情報を含むことができる。ネットワークは、新しく選択されたＣＮＳとの接続を確立するようＷＴＲＵに命令する要求をＷＴＲＵに送信することができる。ネットワークは、ＷＴＲＵの接続をアクティブ化するよう新しいＣＮＳに命令するために新しいＣＮＳ（たとえば、新しいＳＭ機能を含むことができる）に要求を送信することができる。
【０１０４】
ネットワークが、１つまたは複数のその他のＣＮＳに現在接続していないことを決定する場合、ネットワークは、以下のアクションの１つまたは複数を実行することができる。
【０１０５】
ネットワークは、置き換えられるべきＣＮＳから切断するためにタイマーを始動させることができる。タイマーが満了すると、ネットワークは、ＷＴＲＵとそれらのＣＮＳの間の接続が非アクティブ化されることができるように、置き換えられるべきＷＴＲＵおよび／またはＣＮＳに（たとえば、それらのＣＮＳに含まれるそれぞれのＳＭ機能に）要求を送信することができる。
【０１０６】
ネットワークは、ＷＴＲＵの現在アクティブなネットワークスライスのリストを維持することができる。ネットワークは、たとえば、ＷＴＲＵが既存のネットワークスライスから切断された後、および／または新しいネットワークスライスがＷＴＲＵに割り当てられた後に、リストを更新するように構成されることができる。
【０１０７】
ネットワークは、ドメインネットワーク名（たとえば、アクセスポイント名またはＡＰＮ）との接続が非アクティブ化されるべきであることを指示するメッセージ（たとえば、応答メッセージまたは通知メッセージ）をＷＴＲＵに送信することができる。ネットワークは、そのような接続がいつ非アクティブ化されることができるかを通知するためにメッセージに（たとえば、タイマーの期間のような）指示を含めることができる。ネットワークは、ＣＮＳを再選択する理由をメッセージに含めることができる。
【０１０８】
ネットワークは、更新された支援情報をＷＴＲＵに送信することができる。更新された支援情報は、１つまたは複数の後続の接続要求においてＷＴＲＵによって使用される。ネットワークは、たとえば上記で説明されているタイマーが満了すると、ＣＮＳから切断するよう求める非アクティブ化要求をＷＴＲＵに送信することができる。ネットワークが接続されているＣＮＳで引き続きＷＴＲＵにサービス提供することができるものがない場合、ネットワークは、ＷＴＲＵがそれに応じて動作することができるように、命令および／または通知をＷＴＲＵに送信することができる。例において、ネットワークは、既存のＣＮＳから切断して、更新された支援情報で同じＣＮＳに再接続するようＷＴＲＵに命令することができる。例において、ネットワークは、ネットワークによって提供されることができるサービスがない（たとえば、ＷＴＲＵのすべてのＣＮＳがリダイレクトされる必要がある）ことをＷＴＲＵに通知することができる。例において、ネットワークは、ＷＴＲＵにサービス提供するよう求める要求をデフォルトのＡＭＦに送信することができる。ネットワークは、１つまたは複数のＣＮＳが再選択されることを決定すると（たとえば、決定すると直ちに）、またはＷＴＲＵからＮＡＳメッセージを受信すると、そのように行なうことができる。
【０１０９】
ＷＴＲＵは、接続が非アクティブ化されること、および／または接続が非アクティブ化されることができるまでの待機期間を指示するメッセージをネットワークから受信することができる。ＷＴＲＵは、新しいおよび／または更新された支援情報をネットワークからメッセージで受信することができる。ＷＴＲＵは、非アクティブ化されることができる接続、および非アクティブ化が生じることができる時間について上位層に通知することができる。ＷＴＲＵは、タイマーを始動させることができ、タイマーが満了すると影響を受けた接続を非アクティブ化（たとえば、ローカルに非アクティブ化）することができる。非アクティブ化後にその他の接続がない場合、ＷＴＲＵは、切断要求をネットワークに送信することができる、および／またはネットワーク接続に関連付けられているＷＴＲＵ一時識別をローカルに削除することができる。ＷＴＲＵは、新しい接続メッセージを送信することができる。ＷＴＲＵは、新しい、または更新された支援情報を無線メッセージおよび／またはＮＡＳメッセージに含めることができる。
【０１１０】
ＷＴＲＵは、ネットワークからの情報の受信に応じて、その支援情報を更新することができる。ＷＴＲＵは、たとえば更新された支援情報を使用して、新しい接続の要求を送信することができる。ＷＴＲＵは、更新された支援情報を登録メッセージに含めることができる。
【０１１１】
ネットワークは、ＷＴＲＵにデフォルトのＣＮＳおよび／またはデフォルトのＡＭＦを選択することができる。デフォルトのＣＮＳおよび／またはＡＭＦは、事前構成されることができる。ネットワークが、ＷＴＲＵによって提供される更新された支援情報に基づいて、および／またはＷＴＲＵに関連付けられている更新されたサブスクライバ情報に基づいて、ＷＴＲＵに適合するＣＮＳおよび／またはＡＭＦを見出すことができない場合、ネットワークは、そのようなデフォルトのＣＮＳおよび／またはＡＭＦを選択することができる。ネットワークは、支援情報がＷＴＲＵによって提供されない場合に、そのようなデフォルトのＣＮＳおよび／またはＡＭＦを選択することができる。例において、ネットワークは、ＷＴＲＵとデフォルトのＣＮＳの間の接続をアクティブ化することができる。例において、ネットワークは、デフォルトのＣＮＳおよび／またはＡＭＦとの接続をアクティブ化するようＷＴＲＵに通知することができる。例において、ネットワークは、デフォルトのＣＮＳおよび／またはＡＭＦに対応することができる更新された支援情報を使用するようＷＴＲＵに命令することができる。例において、ネットワークは、たとえばデフォルトのＣＮＳおよび／またはＡＭＦがＷＴＲＵの選択されたネットワークスライスとしてマーク付けされることができるように、ＷＴＲＵのコンテキストを更新することができる。
【０１１２】
ネットワーク（たとえば、ＲＡＮ、ＡＭＦ、またはＣＮＳ）は、異なるＡＭＦがＷＴＲＵにサービス提供することができることを決定することができる。ネットワークは、たとえば、更新された支援情報に基づいてそのような決定を行なうことができる。新しく決定されたＡＭＦは、現在ＷＴＲＵにサービス提供している既存のＡＭＦに加えて、または代わりに、ＷＴＲＵにサービス提供することができる。新しく決定されたＡＭＦは、デフォルトのＡＭＦであってもよい。新しく決定されたＡＭＦがＷＴＲＵにサービス提供することができることを決定すると、ネットワークは、既存のＡＭＦとのＷＴＲＵの接続を非アクティブ化することができる。ネットワークは、ＣＮＳに（たとえば、ＣＮＳのＳＭ機能に）、および／またはＷＴＲＵに非アクティブ化要求を送信することができる。ネットワークは、たとえば非アクティブ化要求で、ネットワークがもはやＷＴＲＵにサービス提供しないことを指示することができる。ネットワークは、更新された支援情報をＷＴＲＵに提供することができる。
【０１１３】
ネットワークは、別のＡＭＦがＷＴＲＵにサービス提供できることを決定すると、ＡＭＦがＷＴＲＵにサービス提供できることを指示する通知および／または要求を、新しく決定されたＡＭＦに送信することができる。通知および／または要求は、ＷＴＲＵのコンテキストおよび／またはＷＴＲＵの更新された支援情報を含むことができる。ＷＴＲＵを１つのＡＭＦから別のＡＭＦに切り替えることは、「ＣＮスライスハンドオーバ」と見なされることができる。
【０１１４】
ＷＴＲＵは、ネットワークに（たとえば、ＡＭＦに）関連付けられているその一時識別を削除して、ＷＴＲＵの支援情報を更新することができる。ＷＴＲＵは、たとえば、ＷＴＲＵがネットワークから切断通知および／または要求を受信する場合に、そのように行なうことができる。ＷＴＲＵは、既存のＡＭＦから切断した後に異なるＡＭＦに登録メッセージ（たとえば、新しい接続メッセージ）を送信することができる。ＷＴＲＵは、登録メッセージを定期的に再送信することができる。ＷＴＲＵは、無線および／またはＮＡＳメッセージ内の新しい、および／または更新された支援情報を使用することができる。ＷＴＲＵは、以前のＡＭＦとのその一時識別を保つことができる。ＷＴＲＵは、（たとえば、下位層の一時識別を使用するのではなく）一時識別をＮＡＳメッセージに含めることができる。
【０１１５】
ＷＴＲＵにサービス提供するために別のＡＭＦが選択されることができることを決定すると、ネットワークは、ＷＴＲＵが登録（たとえば、定期的登録）を実行する、および／またはＮＡＳメッセージを送信するのを待機することができる。ネットワークは、ＷＴＲＵからＮＡＳメッセージを受信することができ、ＮＡＳメッセージを選択されたＡＭＦに（たとえば、ＤＥＣＯＲ技法を使用して）転送することができる。ネットワークは、ＮＡＳメッセージを転送する際、ＷＴＲＵの新しい支援情報を含むことができる。たとえば、ネットワークは、ＮＡＳメッセージおよび／または新しい支援情報を、ＲＡＮに送信されるリダイレクション要求に含めることができる。ネットワークは、選択されたＡＭＦのアドレスをリダイレクション要求に含めることができる。
【０１１６】
図５は、ネットワークスライス再選択の例示のコールフローを示す。「支援情報」は、図において「Ａｉｎｆ」と示される。
【０１１７】
バックオフメカニズムは、たとえばＷＴＲＵがいつおよび／またはどのようにネットワークスライスに接続することができるかを制御するために実施されることができる。バックオフメカニズムは、たとえば、ＷＴＲＵが一定期間にわたりネットワークスライスに接続できないようにするために使用されることができる。バックオフメカニズムは、スライス単位で実施されることができる。
【０１１８】
図６は、ネットワークスライス選択および／または再選択に関連する例示のバックオフメカニズムにおける例示のメッセージフローを示す。ＷＴＲＵは、たとえば、セッション管理ＮＡＳ要求メッセージを介して、専用のスライスに接続するよう要求を送信することができる。要求は、シングルネットワークスライス選択支援情報（Ｓ−ＮＳＳＡＩ）を含むことができる。Ｓ−ＮＳＳＡＩは、ＷＴＲＵが接続を確立しようとする特定のネットワークスライスを指示する（たとえば、識別する）ことができる。ＷＴＲＵにサービス提供しているＡＭＦは、（たとえば、スライスにおける輻輳状況により）特定のスライスへの接続が確立されないことを認識することができる。ＡＭＦは、たとえば、ネットワークスライスの共用制御プレーン部分において実施されることができる。ＡＭＦは、ネットワークスライス選択機能（ＮＳＳＦ）、ネットワークリポジトリ機能（ＮＲＦ）、セッション管理機能（ＳＭＦ）、および／またはその他の運用および保守（Ｏ＆Ｍ）ネットワーク機能を含むがこれらに限定されることはない、その他のネットワーク機能とのインタラクションに基づいて輻輳状況を認識することができる。ＡＭＦは、輻輳状況および／またはＳ−ＮＳＳＡＩに応じてバックオフメカニズム（たとえば、バックオフタイマー）をアクティブ化するかどうかを決定するために、ローカルポリシー、サブスクリプション情報、および／または同様のものを使用することができる。ＡＭＦは、バックオフメカニズムをスライス単位でアクティブ化することができる。バックオフメカニズムにより、ＡＭＦは、ＷＴＲＵの接続要求を専用のネットワークスライスに（たとえば、専用のネットワークスライスのセッション管理機能に）転送しないようにすることができる。ＡＭＦは、ＮＡＳ拒否メッセージをＷＴＲＵに送信することができる。ＡＭＦは、たとえばＮＡＳ拒否メッセージの一部として、またはＮＡＳ拒否メッセージとは無関係に、バックオフメカニズム（たとえば、バックオフタイマー）をＷＴＲＵに指示することができる。
【０１１９】
ＷＴＲＵがネットワークスライスおよび／または以前送信されたＳ−ＮＳＳＡＩに関連付けられているバックオフメカニズム（たとえば、バックオフタイマー）の指示を受信する場合、ＷＴＲＵは、バックオフタイマーの期間にわたり、別のセッション管理メッセージまたはＳ−ＮＳＳＡＩをネットワークに送信しないようにすることができる。ＷＴＲＵは、バックオフメカニズムの指示を受信すると、さまざまなアクションを行なうことができる。たとえば、ＷＴＲＵは、特定のシナリオにおいてバックオフメカニズムを停止させることができる（たとえば、ＷＴＲＵがバックオフタイマーを停止することができる）。バックオフメカニズムの指示の受信に応じてＷＴＲＵによって行なわれることができるアクションに関するさらなる詳細は、以下に示される。
【０１２０】
本明細書において説明されるバックオフタイマーは、ＡＭＦによって送信されることができる。ＡＭＦは、モビリティ管理メッセージをＷＴＲＵから受信すると、バックオフタイマーを送信することができる。モビリティ管理メッセージは、たとえば、サービス要求メッセージまたは登録要求メッセージ（たとえば、トラッキングエリア更新（ＴＡＵ）要求）であってもよい。モビリティ管理メッセージは、１つまたは複数の確立されたＰＤＵセッションを指し示すことができるＰＤＵセッションＩＤを含むことができる。ＡＭＦは、バックオフタイマーを、ＷＴＲＵへのモビリティ管理（ＭＭ）受諾ＮＡＳメッセージで、ＷＴＲＵへのＭＭ拒否ＮＡＳメッセージで、および／または同様のもので送信することができる。ＮＡＳメッセージは、バックオフタイマーが、特定の専用のネットワークスライスまたはスライスインスタンスについてＷＴＲＵ発信のシグナリングに適用することができるという指示を含むことができる。さまざまなバックオフタイマーが、さまざまなスライスに設定されることができる。ＷＴＲＵは、第１のスライスに接続することをやめるよう命令されることができる。ＷＴＲＵは、第１のスライスに関連付けられているバックオフ期間中に、第２のスライスとの接続を確立することを許可されることができる。
【０１２１】
ＷＴＲＵは、ネットワークスライスのバックオフ指示（たとえば、バックオフタイマー）を受信すると、１つまたは複数のアクションを実行することができる。たとえば、バックオフ指示を受信すると、ＷＴＲＵは、受信されたバックオフメカニズムに対応するスライスのセッション管理要求の送信を中断することができる。そのようなスライスは、たとえば、ＷＴＲＵによって送信された特定のＳ−ＮＳＳＡＩに関連付けられることができる。たとえば、バックオフメカニズムの指示を受信すると、ＷＴＲＵは、サービス要求を介して輻輳したスライスまたは輻輳したＮＳＳＡＩの非アクティブなＰＤＵセッションを再アクティブ化しないようにすることができる（たとえば、ＷＴＲＵは再アクティブ化を中止することができる）。たとえば、ＷＴＲＵは、アクティブなスライスに接続されているＰＤＵセッションのサービス要求メッセージまたはモビリティ管理メッセージにＰＤＵセッションＩＤを含めないようにすることができる。バックオフの指示を受信すると、ＷＴＲＵは、輻輳したスライスに関連付けられているアクティブなＰＤＵセッションおよび／または非アクティブなＰＤＵセッションを暗黙的に停止状態にする（たとえば、ネットワークとのさらなるシグナリングを伴わない）ことができる。
【０１２２】
ＷＴＲＵは、バックオフタイマーの明示的な指示を（たとえば、ネットワークおよび／またはＡＭＦから）受信することができる。指示は、輻輳したスライスに関連付けられている非アクティブなＰＤＵセッションを停止状態にするようＷＴＲＵに命令することができる。指示は、輻輳したスライスに関連付けられているアクティブおよび／または非アクティブなＰＤＵセッションを停止状態にするようＷＴＲＵに命令することができる。ＷＴＲＵは、新しいネットワークスライス選択ポリシー（ＮＳＳＰ）を、たとえばポリシー機能に要求することができる。ポリシー機能は、たとえば、ネットワーク内に存在することができる。新しいＮＳＳＰを要求する場合、ＷＴＲＵは、特定のスライスが輻輳していることを指示することができる。ポリシー機能は、たとえばＷＴＲＵから新しいＮＳＳＰの要求を受信すると）、ＷＴＲＵの新しいＮＳＳＡＩ／Ｓ−ＮＳＳＡＩを提供することができる。ＷＴＲＵは、ポリシー機能から受信された新しいＳ−ＮＳＳＡＩと共にＰＤＵセッション要求（たとえば、セッション管理要求）を送信することができる。
【０１２３】
ＷＴＲＵは、特定の条件下、またはトリガーイベントに応じて、バックオフメカニズム（たとえば、バックオフタイマー）を停止させることができる。たとえば、ＷＴＲＵが５Ｇシステム（たとえば、５ＧシステムのＡＭＦ）から進化型パケットコア（ＥＰＣ）システム（たとえば、ＭＭＥ）へのハンドオーバを実行する場合に、バックオフタイマーを停止させることができる。ＷＴＲＵが、接続受諾メッセージ、ＴＡＵ受諾メッセージ、および／または、受諾されたＮＳＳＡＩを含み受諾されたＮＳＳＡＩが輻輳したＳ−ＮＳＳＡＩ値を含まない任意のその他のモビリティ管理メッセージを、ネットワークから受信する場合、ＷＴＲＵは、バックオフタイマーを停止させることができる。ＷＴＲＵは、ＷＴＲＵが輻輳したスライスに属するＰＤＵセッションのためにネットワークによってページングされる場合、バックオフタイマーを停止させることができる。ＷＴＲＵは、ＷＴＲＵが輻輳したスライスに属するＰＤＵセッションに関連付けられているセッション管理シグナリングのためにネットワークによってページングされる場合、バックオフタイマーを停止させることができる。ＷＴＲＵは、輻輳状態が対応するネットワークスライスにはもう存在しないことをＷＴＲＵに通知する明示的な指示をＷＴＲＵが受信する場合、バックオフタイマーを停止させることができる。明示的な指示は、ＡＭＦから受信されることができる。明示的な指示は、たとえば、モビリティ管理シグナリングまたはセッション管理シグナリングを介して受信されることができる。
【０１２４】
ＷＴＲＵが緊急サービスまたは高優先度サービスのために送信および／または受信すべきデータを有する場合、ＷＴＲＵは、輻輳したスライスまたは輻輳したＳ−ＮＳＳＡＩに対応するスライスのセッション管理シグナリングを生成することができる。これらの場合、ＷＴＲＵは、高優先度の指示または緊急要求指示をネットワークに送信することができる。指示は、たとえば、ネットワークへのＮＡＳメッセージに含まれることができる。指示を受信すると、ネットワーク（たとえば、ネットワークのＡＭＦ）は、たとえネットワークスライスが輻輳している場合であっても、セッション管理メッセージをネットワークスライスに転送することができる。
【０１２５】
本明細書において説明されるように、ＣＮＳは、セッション管理（ＳＭ）機能を含むことができる。ＳＭ機能は、ＷＴＲＵがデータネットワークとの接続を確立しようと試みる場合に、ＷＴＲＵへの接続を提供するように動作可能であってもよい。ＷＴＲＵは、１つまたは複数のＣＮＳに関連付けられることができる。１つまたは複数のＣＮＳのＳＭ機能は、ＷＴＲＵの複数の接続を提供することができる。複数の接続は、相互に独立することができる。接続は、たとえＷＴＲＵがアイドル状態にある場合であっても維持されることができる。たとえば、接続を再アクティブ化する（たとえば、セットアップする）ためにさらなるシグナリングが必要とされないように、接続のコンテキストは、ＷＴＲＵがアイドル状態にある間維持されることができる。ＷＴＲＵがアイドルモードから接続モードへ移行する場合、ＷＴＲＵは、データパケット（たとえば、ＩＰパケット）をトランスポートするために以前確立された接続（たとえば、トンネル）を容易に使用することができる。
【０１２６】
複数の接続を伴うＷＴＲＵは、接続のすべてにおいて送信／受信するデータを有しているわけではない。したがって、ＷＴＲＵが使用しないこともある接続リソース（たとえば、トンネル）をセットアップするためにシグナリングを生成することは、非効率的である場合がある。効率を高めるために、ＷＴＲＵは、ＷＴＲＵが使用することができる接続に対してのみリソースをセットアップするように、および不必要なシグナリングを回避するように、構成されることができる。たとえば、図３に示されるように、ネットワークスライスＡおよびＢに関連付けられているＷＴＲＵは、ＷＴＲＵがアイドルモードから接続モードに移行する場合、ネットワークスライスＡを介して送信するデータを有することができるのみである。そのようなシナリオにおいて、ＷＴＲＵおよび／またはネットワークは、ネットワークスライスＢのリソースをセットアップするためにはシグナリングを生成しないように構成されることができる。
【０１２７】
ＷＴＲＵは、ネットワークスライスとの間の不必要なシグナリングを低減するように構成されることができる。たとえば、ＷＴＲＵは、複数のＰＤＮ接続を有することができる。ＷＴＲＵは、ＷＴＲＵがアイドルモードから接続モードに移行する場合に、どの接続をＷＴＲＵが使用することができるかについてネットワークに通知することができる。ＷＴＲＵは、たとえば、以下のうちの１つまたは複数を行なうことにより、接続についてネットワークに通知することができる。ＷＴＲＵは、接続に関連付けられているＡＰＮまたはドメインネットワーク名識別子をネットワークに送信することができる。ＷＴＲＵは、接続に関連付けられているスライス識別をネットワークに送信することができる。ＷＴＲＵは、接続に関連付けられているサービスまたはアプリケーションＩＤをネットワークに送信することができる。ＷＴＲＵは、接続を識別することができるネットワーク支援情報を送信することができる。
【０１２８】
ＷＴＲＵは、アイドルモードから接続モードに移行する間にＷＴＲＵがどのネットワークスライスを使用することができるかを指定するポリシーで構成されることができる。たとえば、ポリシーは、たとえデータがスライスの一部に使用可能ではない場合であっても、ＷＴＲＵがそのスライスのすべてを使用することができることをＷＴＲＵがネットワークに指示することができると規定することができる。
【０１２９】
ネットワークは、（たとえば、ＷＴＲＵから前述の指示を受信したことに応じて）ＷＴＲＵが使用することができると指示する接続またはネットワークスライスのリソースをセットアップすることができる。ネットワークは、ＷＴＲＵが使用しないと指示する接続またはネットワークスライスのコンテキスト（たとえば、ＩＰアドレス）を維持することができる。ネットワークは、ＷＴＲＵが使用することができると指示するネットワークスライスのシグナリングをトリガーすることができる。
【０１３０】
ネットワークは、ＷＴＲＵからのスライス要求が許可されることができるかどうかを検証することができる。ネットワークは、ＷＴＲＵのリソースをセットアップする場合、その自身のポリシーを適用することができる。ネットワークは、ＷＴＲＵによって要求されたスライスとは異なるスライスのリソースをセットアップすることを選択することができる。
【０１３１】
ＷＴＲＵは（たとえば、接続モードにある間）、ＷＴＲＵによって現在使用されていない接続を使用することを要望することができる。ＷＴＲＵは、（たとえば、モビリティ管理またはセッション管理メッセージのような）ＮＡＳメッセージをネットワークに送信することができる。ＮＡＳメッセージは、ＷＴＲＵが特定のネットワークスライスと接続を確立することを要望することを指示することができる。ネットワークは、たとえば、ＮＡＳメッセージを受信すると、ネットワークスライス内で事前構成されている手順を使用して、ＷＴＲＵのリソースをセットアップすることができる。ネットワークは、スライス接続要求の結果を指示するために、応答をＷＴＲＵに送信することができる。応答は、接続ＩＤ（たとえば、一時ＩＤ）を含むことができ、これは特定の接続またはスライスについてセットアップされているリソースを指示することができる。
【０１３２】
ネットワークスライス選択および／または再選択のためのシステム、方法、および手段が開示された。ＷＴＲＵは、ネットワークスライス選択のために更新された支援情報を受信することができる。ＷＴＲＵは、ローカルポリシーで構成されることができ、ローカルポリシーに基づいて、更新されたスライス選択情報をいつネットワークに送信すべきかを決定することができる。ＷＴＲＵは、更新された支援情報をサービス提供ネットワークから受信することができる。ＷＴＲＵは、ネットワークに関連付けられている一時ＩＤを削除することができ、更新された支援情報を使用してネットワークに再接続することができる。ネットワークは、ＷＴＲＵに関連付けられているスライスが再選択されることができることを決定することができる。ネットワークは、たとえば、ＷＴＲＵが部分的なスライスによりサービス提供されることができるかどうかに応じて、スライスの一部または全部が再選択されることができるかどうかを決定することができる。既存のスライスがもはやＷＴＲＵのＰＤＮ接続にサービス提供しないとネットワークが決定する場合（たとえば、既存のスライスが、ＷＴＲＵが属するデバイスのカテゴリを引き続き一様にサポートすることができる）、ネットワークは、ＷＴＲＵに追加の、または異なるスライスを選択することができる。追加の、または異なるスライスは、ＷＴＲＵにデフォルトの接続をもたらすように構成されたデフォルトのスライスであってもよい。ネットワークは、新しい支援情報をＷＴＲＵに提供することができる。ネットワークは、たとえばスライスがＷＴＲＵにサービス提供していないときに、再接続が実施されることができることを指示することができる。
【０１３３】
本明細書において説明されるプロセスおよび手段は、任意の組合わせにおいて適用することができ、その他の無線技術、ならびにその他のサービスに適用することができる。ＷＴＲＵは、物理デバイスの識別、または、たとえばＭＳＩＳＤＮ、ＳＩＰ  ＵＲＩなど、サブスクリプションに関連する識別のような、ユーザの識別を示すことができる。ＷＴＲＵは、各アプリケーションについて使用されることができるユーザ名などアプリケーションに基づいた識別子を参照することができる。上記で説明されるプロセスは、コンピュータおよび／またはプロセッサにより実行するためにコンピュータ可読媒体に組み込まれたコンピュータプログラム、ソフトウェア、および／またはファームウェアにおいて実施されることができる。コンピュータ可読媒体の例は、（有線および／または無線接続を介して送信される）電子信号および／またはコンピュータ可読ストレージ媒体を含むが、これらに限定されることはない。コンピュータ可読ストレージ媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクのような、ただしこれらに限定されない磁気媒体、磁気光学媒体、ＣＤ−ＲＯＭディスクおよび／またはデジタル多用途ディスク（ＤＶＤ）のような光媒体を含むが、これらに限定されることはない。ソフトウェアに関連してプロセッサは、ＷＴＲＵ、端末、基地局、ＲＮＣ、および／または任意のホストコンピュータにおいて使用する無線周波数送受信機を実施するために使用されることができる。
【図１Ａ】
2019533333.tif 000003
【図１Ｂ】
2019533333.tif 000004
【図１Ｃ】
2019533333.tif 000005
【図１Ｄ】
2019533333.tif 000006
【図２】
2019533333.tif 000007
【図３】
2019533333.tif 000008
【図４】
2019533333.tif 000009
【図５】
2019533333.tif 000010
【図６】
2019533333.tif 000011
【国際調査報告】
2019533333.tif 000012
2019533333.tif 000013
2019533333.tif 000014
2019533333.tif 000015